(57)【特許請求の範囲】
【請求項１】
遊技球が流下する遊技盤と、
当該遊技盤上に設けられた始動口と、
当該始動口への遊技球の入賞を検出する始動口遊技球検出手段と、
当該始動口遊技球検出手段によって遊技球が検出されたことに起因して、遊技者にとって有利な遊技である大当たり遊技を実行するか否かを決定するための第一大当たり乱数を取得する第一大当たり乱数取得手段と、
当該第一大当たり乱数取得手段によって取得された前記第一大当たり乱数が、あらかじめ大当たりと決められた所定の乱数であるか否かの判定を行う第一大当たり判定手段と、
前記遊技盤上に設けられ、遊技球が通過する通過口と、
当該通過口への遊技球の通過を検出する通過口遊技球検出手段と、
当該通過口遊技球検出手段によって遊技球が検出されたことに起因して、遊技者にとって有利な普通当たり遊技を実行するか否かを決定するための普通当たり乱数を取得する普通当たり乱数取得手段と、
当該普通当たり乱数取得手段によって取得された前記普通当たり乱数が、あらかじめ普通当たりと決められた所定の乱数であるか否かの判定を行う普通当たり判定手段と、
前記遊技盤上に設けられ、開閉部材を有し、当該開閉部材が開放されると遊技球の入賞が可能となる普通電動役物と、
当該普通電動役物への遊技球の入賞を検出する電動役物遊技球検出手段と、
当該電動役物遊技球検出手段によって遊技球が検出されたことに起因して、遊技者にとって有利な大当たり遊技を実行するか否かを決定するための第二大当たり乱数を取得する第二大当たり乱数取得手段と、
当該第二大当たり乱数取得手段によって取得された前記第二大当たり乱数が、あらかじめ大当たりと決められた所定の乱数であるか否かの判定を行う第二大当たり判定手段と、
前記普通電動役物の開閉部材を開閉する普通電動役物開閉手段と、
前記普通当たり判定手段により普通当たりと判定された場合に、前記普通電動役物開閉手段を制御して、前記普通電動役物の開閉部材を所定時間開放させる普通電動役物開閉制御手段と、
前記遊技盤上に設けられ、開閉部材を有し、当該開閉部材が開放されると遊技球の入賞が可能となる大入賞口と、
当該大入賞口の開閉部材を開閉する大入賞口開閉手段と、
前記大当たり遊技中に前記大入賞口開閉手段を制御して、前記大入賞口の開閉部材を所定時間開放させる大入賞口開閉制御手段と、
前記大当たり遊技の終了後に複数の遊技状態のうちのいずれか１つを生起する遊技状態制御手段と、
前記第一大当たり判定手段又は前記第二大当たり判定手段により大当たりと判定されたことを契機として、その後に実行される前記大当たり遊技の終了後に、前記普通当たり判定手段によって普通当たりと判定される確率が通常よりも高い時短状態を生起するか、普通当たりと判定される確率が通常の確率である非時短状態を生起するかを決定する時短生起決定手段と、
前記第一大当たり判定手段又は前記第二大当たり判定手段により大当たりと判定されたことを契機として、その後に実行される前記大当たり遊技の終了後に、前記第一大当たり判定手段及び前記第二大当たり判定手段によって大当たりと判定される確率が通常よりも高い確率変動状態を生起するか、大当たりと判定される確率が通常の確率である非確率変動状態を生起するかを決定する確率変動生起決定手段とを備え、
前記時短生起決定手段によって前記時短状態を生起すると決定される割合が、決定が行われる際の各遊技状態毎にあらかじめ定められている遊技機であって、
前記確率変動生起決定手段によって前記確率変動状態を生起することが連続して決定された回数を計数する確率変動連続回数計数手段と、
当該確率変動連続回数計数手段によって計数された回数が所定回数に達した場合、その後に実行される前記大当たり遊技の終了後には必ず前記非確率変動状態を生起させる確率変動連続回数制御手段とを備え、
前記確率変動状態が生起されており、且つ前記非時短状態が生起されている第一状態中には、前記時短生起決定手段によって前記時短状態を生起すると決定される割合が他の遊技状態中よりも低く、
前記大入賞口開閉制御手段は、前記第二大当たり判定手段によって大当たりと判定された場合の前記大当たり遊技中には、前記第一大当たり判定手段によって大当たりと判定された場合の前記大当たり遊技中よりも、前記大入賞口の開閉部材をより長く開放させることを特徴とする遊技機。
【請求項２】
前記時短生起決定手段は、決定が行われる際に前記非確率変動状態が生起されていれば、必ず前記時短状態を生起する旨の決定を行うことを特徴とする請求項１に記載の遊技機。
【請求項３】
前記時短生起決定手段は、決定が行われる際に前記時短状態が生起されていれば、必ず前記時短状態を生起する旨の決定を行うことを特徴とする請求項１又は２に記載の遊技機。
【請求項４】
前記普通電動役物開閉制御手段は、前記時短状態中に普通当たりと判定された場合の前記普通当たり遊技中には、前記非時短状態中に普通当たりと判定された場合の前記普通当たり遊技中よりも、前記普通電動役物の開閉部材をより長く開放させることを特徴とする請求項１乃至３のいずれかに記載の遊技機。
【請求項５】
前記普通当たり判定の判定結果を遊技者に報知する報知手段と、
当該報知手段による報知態様を制御する報知制御手段とを備え、
当該報知制御手段は、前記時短状態中に普通当たりと判定された場合と、前記非時短状態中に普通当たりと判定された場合とで異なる態様で前記報知手段を制御することを特徴とする請求項１乃至４のいずれかに記載の遊技機。
【発明の詳細な説明】
【技術分野】
【０００１】
本発明は遊技機に関し、詳細には、遊技盤上に設けられた特定の始動口へ遊技球が入賞することにより、遊技者に有利な特別遊技を実行するか否かの判定を行う遊技機に関する。
【背景技術】
【０００２】
従来、始動口への遊技球の入賞を契機として、遊技者にとって有利な遊技である大当たり遊技を実行するか否かの判定を行う遊技機が知られている。この遊技機では、遊技盤に設けられた始動口へ遊技球が入賞したことに起因して、大当たり乱数が取得される。そして、取得された大当たり乱数が、あらかじめ大当たりと決められた所定の乱数であるか否かを判定することにより、大当たり遊技を実行するか否かの判定（大当たり判定）が行われる。この大当たり判定によって「大当たり」と判定されると、大入賞口に設けられた開閉部材が開放されて、大入賞口への遊技球の入賞が可能な状態となる。
【０００３】
このような遊技機では、始動口へ遊技球が入賞すると、その都度大当たり乱数が取得されて大当たり判定が行われるため、遊技者は、あとどの程度で大当たりとなるかを予測することはできなかった。従って、遊技を長時間継続しても、いつまでも大当たりとならない場合があり、遊技者の興趣を損ねることがあった。また、大当たりとなるまでの目安が全くなかったため、遊技者の遊技意欲を高めることができなかった。
【０００４】
そこで、大当たり判定において所定回数連続してはずれと判定された場合に、遊技状態を遊技者に有利な状態へ移行させる機能、すなわち、天井機能を備えた遊技機が提案されている（例えば、特許文献１参照）。この遊技機では、連続してはずれと判定された回数が所定回数に達すると（天井に到達すると）、大当たりと判定される確率を通常よりも高くし、その時点での大当たり確率を表示色の違いによって遊技者に通知する。従って、遊技者は、表示色によって表示されている大当たり確率に基づいて遊技を続行するか否かを決めることができるため、遊技者の遊技意欲を高めることができる。
【０００５】
一方で、遊技者に有利な特定状態の連続回数を制限する機能である、所謂リミッタを備えた遊技機が提案されている（例えば、特許文献２参照）。遊技者に有利な特定状態とは、大当たりと判定される確率が通常よりも高くなる確率変動状態や、始動口への遊技球の入賞が通常よりも容易となる時短状態があり、特定状態を生起するか否かは大当たり判定と同時に決定される。そして、特定状態を生起する旨の決定が所定回数連続した場合には、リミッタによって強制的に特定状態の連続を終了させることで、射幸心の抑制が図られている。
【０００６】
また、１つの遊技機に２種類の特別図柄を使用した遊技機も提案されている（例えば、特許文献３参照）。この遊技機では、２種類の特別図柄を使用することにより、大当たり判定の機会が増える印象を遊技者に与えることができる。さらに、特別図柄１種類を使用した遊技機に比べて遊技内容を多様化させることができる。
【特許文献１】特開平１０−１６５６２８号公報
【特許文献２】特開２００２−１７７５５４号公報
【特許文献３】特開２００６−５５２６４号公報
【発明の開示】
【発明が解決しようとする課題】
【０００７】
しかしながら、このような従来の遊技機では、天井機能を設けるために、設計のし易さや第三者検定機関による検定等を考慮して新たな制御方法を構築する必要があったため、実際に天井機能を付加することは困難であった。すなわち、周知の機能であるリミッタを利用して遊技機に天井機能を持たせることが困難であるという問題点があった。また、天井機能と２種類の特別図柄とを適切に組み合わせることができなかったため、これらを活用した新しい遊技性を遊技者に提供することができなかった。従って、遊技者の遊技意欲を高めることができないという問題点もあった。
【０００８】
本発明は上記課題を解決するためになされたものであり、２種類の特別図柄を使用して遊技内容を多様化させると共に、リミッタを利用した天井機能を組み合わせることで、遊技者の遊技意欲を十分に高めることができる遊技機を提供することを目的とする。
【課題を解決するための手段】
【０００９】
上記目的を達成するために、請求項１に記載の遊技機は、遊技球が流下する遊技盤と、当該遊技盤上に設けられた始動口と、当該始動口への遊技球の入賞を検出する始動口遊技球検出手段と、当該始動口遊技球検出手段によって遊技球が検出されたことに起因して、遊技者にとって有利な遊技である大当たり遊技を実行するか否かを決定するための第一大当たり乱数を取得する第一大当たり乱数取得手段と、当該第一大当たり乱数取得手段によって取得された前記第一大当たり乱数が、あらかじめ大当たりと決められた所定の乱数であるか否かの判定を行う第一大当たり判定手段と、前記遊技盤上に設けられ、遊技球が通過する通過口と、当該通過口への遊技球の通過を検出する通過口遊技球検出手段と、当該通過口遊技球検出手段によって遊技球が検出されたことに起因して、遊技者にとって有利な普通当たり遊技を実行するか否かを決定するための普通当たり乱数を取得する普通当たり乱数取得手段と、当該普通当たり乱数取得手段によって取得された前記普通当たり乱数が、あらかじめ普通当たりと決められた所定の乱数であるか否かの判定を行う普通当たり判定手段と、前記遊技盤上に設けられ、開閉部材を有し、当該開閉部材が開放されると遊技球の入賞が可能となる普通電動役物と、当該普通電動役物への遊技球の入賞を検出する電動役物遊技球検出手段と、当該電動役物遊技球検出手段によって遊技球が検出されたことに起因して、遊技者にとって有利な大当たり遊技を実行するか否かを決定するための第二大当たり乱数を取得する第二大当たり乱数取得手段と、当該第二大当たり乱数取得手段によって取得された前記第二大当たり乱数が、あらかじめ大当たりと決められた所定の乱数であるか否かの判定を行う第二大当たり判定手段と、前記普通電動役物の開閉部材を開閉する普通電動役物開閉手段と、前記普通当たり判定手段により普通当たりと判定された場合に、前記普通電動役物開閉手段を制御して、前記普通電動役物の開閉部材を所定時間開放させる普通電動役物開閉制御手段と、前記遊技盤上に設けられ、開閉部材を有し、当該開閉部材が開放されると遊技球の入賞が可能となる大入賞口と、当該大入賞口の開閉部材を開閉する大入賞口開閉手段と、前記大当たり遊技中に前記大入賞口開閉手段を制御して、前記大入賞口の開閉部材を所定時間開放させる大入賞口開閉制御手段と、前記大当たり遊技の終了後に複数の遊技状態のうちのいずれか１つを生起する遊技状態制御手段と、前記第一大当たり判定手段又は前記第二大当たり判定手段により大当たりと判定されたことを契機として、その後に実行される前記大当たり遊技の終了後に、前記普通当たり判定手段によって普通当たりと判定される確率が通常よりも高い時短状態を生起するか、普通当たりと判定される確率が通常の確率である非時短状態を生起するかを決定する時短生起決定手段と、前記第一大当たり判定手段又は前記第二大当たり判定手段により大当たりと判定されたことを契機として、その後に実行される前記大当たり遊技の終了後に、前記第一大当たり判定手段及び前記第二大当たり判定手段によって大当たりと判定される確率が通常よりも高い確率変動状態を生起するか、大当たりと判定される確率が通常の確率である非確率変動状態を生起するかを決定する確率変動生起決定手段とを備え、前記時短生起決定手段によって前記時短状態を生起すると決定される割合が、決定が行われる際の各遊技状態毎にあらかじめ定められている遊技機であって、前記確率変動生起決定手段によって前記確率変動状態を生起することが連続して決定された回数を計数する確率変動連続回数計数手段と、当該確率変動連続回数計数手段によって計数された回数が所定回数に達した場合、その後に実行される前記大当たり遊技の終了後には必ず前記非確率変動状態を生起させる確率変動連続回数制御手段とを備え、前記確率変動状態が生起されており、且つ前記非時短状態が生起されている第一状態中には、前記時短生起決定手段によって前記時短状態を生起すると決定される割合が他の遊技状態中よりも低く、前記大入賞口開閉制御手段は、前記第二大当たり判定手段によって大当たりと判定された場合の前記大当たり遊技中には、前記第一大当たり判定手段によって大当たりと判定された場合の前記大当たり遊技中よりも、前記大入賞口の開閉部材をより長く開放させることを特徴とする。
【００１０】
また、本発明の請求項２に記載の遊技機は、請求項１に記載の発明の構成に加え、前記時短生起決定手段は、決定が行われる際に前記非確率変動状態が生起されていれば、必ず前記時短状態を生起する旨の決定を行うことを特徴とする。
【００１１】
また、本発明の請求項３に記載の遊技機は、請求項１又は２に記載の発明の構成に加え、前記時短生起決定手段は、決定が行われる際に前記時短状態が生起されていれば、必ず前記時短状態を生起する旨の決定を行うことを特徴とする。
【００１２】
また、本発明の請求項４に記載の遊技機は、請求項１乃至３のいずれかに記載の発明の構成に加え、前記普通電動役物開閉制御手段は、前記時短状態中に普通当たりと判定された場合の前記普通当たり遊技中には、前記非時短状態中に普通当たりと判定された場合の前記普通当たり遊技中よりも、前記普通電動役物の開閉部材をより長く開放させることを特徴とする。
【００１３】
また、本発明の請求項５に記載の遊技機は、請求項１乃至４のいずれかに記載の発明の構成に加え、前記普通当たり判定の判定結果を遊技者に報知する報知手段と、当該報知手段による報知態様を制御する報知制御手段とを備え、当該報知制御手段は、前記時短状態中に普通当たりと判定された場合と、前記非時短状態中に普通当たりと判定された場合とで異なる態様で前記報知手段を制御することを特徴とする。
【発明の効果】
【００１４】
請求項１に記載の遊技機によると、第一大当たり判定手段により大当たりと判定されると、第二大当たり判定手段により大当たりと判定された場合よりも、遊技者が獲得可能な遊技球は少ない。しかし、大当たり遊技終了後に時短状態が生起されれば、普通電動役物への遊技球の入賞が容易となるため、より多くの遊技球を獲得する機会が遊技者に与えられる。さらに、非確率変動状態及び時短状態の少なくともいずれかが生起されている際に大当たりとなれば、第一状態中に大当たりとなった場合よりも高い割合でその後に時短状態が生起される。すなわち、一旦時短状態が生起されると、連続して時短状態が生起される割合が高くなる。従って、遊技者は非確率変動状態又は時短状態が生起されることを期待しながら遊技を楽しむことができる。また、確率変動を生起する旨が大当たり判定と共に決定されること（以下、「確率変動大当たり」という。）が所定回数連続すると、その後必ず非確率変動が生起されるため、時短状態が生起される割合が第一状態中よりも高くなる。すなわち、確率変動大当たりの連続を制御する機能（所謂「リミッタ」）を利用して、遊技機に「天井機能」を持たせることができる。これにより、遊技者に不利な第一状態が連続している場合でも、遊技者の興趣を損ねることのない、新しい遊技性を遊技者に提供することができる。さらに、大当たり遊技と時短状態とが交互に連続している場合にも、確率変動連続回数計数手段による計数は行われる。よって、時短状態が終了した後すぐに非確率変動状態となる場合がある。これにより、遊技者の興趣を惹き付けることができる。
【００１５】
また、本発明の請求項２に記載の遊技機は、請求項１に記載の発明の効果に加え、非確率変動状態が生起されている間に大当たりとなれば、その後必ず時短状態が生起されるため、確率変動連続回数制御手段によって非確率変動状態が生起されると（天井状態となると）、大当たりを契機として必ず時短状態が生起される。従って、天井状態の遊技機を遊技している遊技者に安心感を与えることができ、遊技者は長い時間遊技を楽しむことができる。
【００１６】
また、本発明の請求項３に記載の遊技機は、請求項１又は２に記載の発明の効果に加え、時短状態中に大当たりとなれば、その後必ず時短状態が生起されるため、時短状態と大当たり遊技とが交互に連続し、遊技者は多数の遊技球を獲得することができる。従って、遊技者は、時短状態が生起されることをより強く期待しながら遊技を楽しむことができる。
【００１７】
また、本発明の請求項４に記載の遊技機は、請求項１乃至３のいずれかに記載の発明の効果に加え、非時短遊技中に遊技球が普通電動役物へ入賞する割合を低くすることができるため、大入賞口の開放時間がより長い大当たり遊技（第二大当たり判定手段により大当たりと判定された場合に実行される大当たり遊技）は、非時短中に実行されにくくなる。従って、遊技者は、時短状態が生起されることをより強く期待しながら遊技を楽しむことができる。
【００１８】
また、本発明の請求項５に記載の遊技機は、請求項１乃至４のいずれかに記載の発明の効果に加え、普通当たりと判定された場合の判定結果の報知態様を、時短状態中と非時短状態中とで変えることにより、非時短中に普通電動役物へ遊技球が入賞することを効果的に遊技者に報知することができる。これにより、遊技者の興趣を惹き付けることができる。
【発明を実施するための最良の形態】
【００１９】
以下、本発明に係る遊技機の一実施の形態であるパチンコ機１について、図面を参照して説明する。まず、パチンコ機１の機械的構成について、図１乃至図３を参照して説明する。図１は、パチンコ機１の正面図であり、図２は、遊技盤２の正面図であり、図３は、図柄表示装置８の拡大図である。
【００２０】
図１に示すように、パチンコ機１の正面の上半分の部分には、発射ハンドル７の操作により図示外の発射機から発射された遊技媒体としての遊技球が流下する遊技盤２が設けられている。この遊技盤２は略正方形であり（図２参照）、透明なガラス板を保持した前面枠１１で保護されている。遊技盤２の下方部には、発射機に遊技球を供給し、且つ賞品球を受ける上皿５が設けられている。そして、上皿５の直下には、賞品球を受ける下皿６が設けられ、下皿６の右横には遊技球の発射を調整する発射ハンドル７が設けられている。さらに、前面枠１１の上部には、左右方向の略全長に亘って前側に膨出するように照明装置３５が形成されており、前面枠１１の上部の左右の角にはスピーカ４８がそれぞれ設けられている。また、前面枠１１の全面には演出用の電飾ランプが多数設けられている。
【００２１】
また、図２に示すように、遊技盤２の前面にはガイドレール３で囲まれた略円形の遊技領域４が設けられており、この遊技領域４の略中央には、ＬＣＤから構成された表示画面２８、各種ランプ、ＬＥＤ等を備えた図柄表示装置８が設けられている。この図柄表示装置８の下方には特別図柄始動入賞口１５が設けられており、特別図柄始動入賞口１５の下方には第一大入賞口１８が設けられている。また、図柄表示装置８の右方には普通図柄始動ゲート１２が設けられており、普通図柄始動ゲート１２の下方には普通電動役物１３が、さらにその下方には第二大入賞口１９が設けられている。尚、遊技盤２には上記以外に種々の電飾ランプやその他の電飾用ＬＥＤ、風車及び多数の遊技釘等が設けられている。
【００２２】
次に、普通電動役物１３、第一大入賞口１８、及び第二大入賞口１９について説明する。普通電動役物１３、第一大入賞口１８、及び第二大入賞口１９には開閉部材が設けられている。そして、開閉部材が開放された場合（普通電動役物１３、第一大入賞口１８、及び第二大入賞口１９が開放された場合）のみ遊技球の入賞が可能となっており、開閉部材の閉鎖時（普通電動役物１３、第一大入賞口１８、及び第二大入賞口１９の閉鎖時）には遊技球は入賞できない。そして、各開閉部材はソレノイドによって電気的に開閉される。
【００２３】
次に、図柄表示装置８について、図３を参照して説明する。図３に示すように、図柄表示装置８は中央に表示画面２８を備えている。この表示画面２８には動画やメッセージ等様々な映像が表示されるが、特に大当たり判定の結果を報知するために、表示画面２８にはデモ図柄を表示するための３つのデモ図柄表示部が設けられている。また、普通当たりと判定された場合には表示画面２８でその旨が表示されるが、この表示の態様は、後述する時短状態中の普通当たり時と、非時短状態中の普通当たり時とでは異なる。そして、表示画面２８は、遊技者の目を惹くように後述の普通図柄表示部２４及び２つの特別図柄表示部２５，２６よりも広い領域を占めている。
【００２４】
また、図柄表示装置８には、表示画面２８の下方に４つのＬＥＤからなる第一特別図柄記憶数表示ＬＥＤ６０が設けられている。この第一特別図柄記憶数表示ＬＥＤ６０には、特別図柄始動入賞口１５に入賞し、第一特別図柄表示部２５に第一大当たり判定の結果がまだ表示されていない遊技球の個数、所謂第一特別図柄作動保留球数が表示される。そして、第一特別図柄記憶数表示ＬＥＤ６０の下方には、４つのＬＥＤからなる第二特別図柄記憶数表示ＬＥＤ６１が設けられており、第二大当たり判定の結果がまだ表示されていない遊技球の個数、所謂第二特別図柄作動保留球数が表示される。
【００２５】
また、第二特別図柄記憶数表示ＬＥＤ６１の左方には第一特別図柄表示部２５が、右方には第二特別図柄表示部２６が設けられており、アルファベットや数字、またはこれらの組み合わせからなる特別図柄が表示される。この特別図柄は、その組み合わせ毎に「大当たり特別図柄」及び「はずれ特別図柄」のいずれであるかがあらかじめ定められており、「大当たり特別図柄」はさらに「確率変動図柄」及び「非確率変動図柄」に分類される。そして、特別図柄始動入賞口１５へ遊技球が入賞すると、第一大当たり判定が行われ、その判定結果に応じて複数の特別図柄の中の１つが第一特別図柄表示部２５に表示される。また、普通電動役物１３へ遊技球が入賞すると第二大当たり判定が行われ、その判定結果は第二特別図柄表示部２６に表示される。
【００２６】
また、図柄表示装置８には、表示画面２８の上方に４つのＬＥＤからなる普通図柄記憶数表示ＬＥＤ５９が、さらにその上方には１つのＬＥＤからなる普通図柄表示部２４が配設されている。普通図柄表示部２４は、点灯状態が普通当たりの当選を、消灯が普通当たりの落選を示し、点滅状態がこれから普通当たり判定の結果を表示することを示す変動状態とされている。また、普通図柄記憶数表示ＬＥＤ５９では、普通図柄始動ゲート１２を通過し、普通図柄表示部２４に普通当たり判定の結果がまだ表示されていない遊技球の個数、所謂普通図柄作動保留球数が、点灯しているＬＥＤの数によって表示される。
【００２７】
次に、本実施の形態のパチンコ機１における遊技の流れについて説明する。パチンコ機１では、第一大当たり判定及び第二大当たり判定において「大当たり」と判定される確率が９／１５１である非確率変動状態、及び１０／１５１である確率変動状態を生起させることができる。また、普通当たり判定において「当たり」と判定される確率が１／１００である非時短状態、及び９９／１００である時短状態を生起させることができる。従って、パチンコ機１は、これらの組み合わせにより「非確率変動非時短状態」、「確率変動非時短状態」、「非確率変動時短状態」、「確率変動時短状態」の４つの遊技状態を生起させることができる。尚、時短状態は、第一大当たり判定の回数と第二大当たり判定の回数との和が３０回に達するか、次に大当たりと判定されるかのいずれかの条件が満たされると終了する。また、確率変動状態は、大当たり判定の回数の和が４０回に達するか、次に大当たりと判定されるかのいずれかの条件が満たされると終了する。
【００２８】
次いで、第一大当たり判定について説明する。遊技球が特別図柄始動入賞口１５へ入賞すると、第一大当たり判定が行われる。大当たりであるか否かは、確率変動状態が生起されているか否かに応じてそれぞれの確率で判定され、判定結果が「大当たり」であれば、第一大入賞口１８を開放させる第一大当たり遊技が行われる。しかし、第一大当たり遊技においては、開放された第一大入賞口１８は０．２秒が経過すると閉鎖され、この動作が２回繰り返されるのみであるため、遊技者は多数の遊技球を獲得することはできない。
【００２９】
そして、第一大当たり判定によって「大当たり」と判定された場合には、第一大当たり遊技後に生起される遊技状態を決定する処理が行われる。ここで、確率変動状態を生起するか否かは、第一大当たり判定時に選択された第一特別図柄が確率変動図柄であるか否か（大当たりが確率変動大当たりであるか否か）によって決定され、確率変動図柄が選択される割合は９４／１００、非確率変動図柄が選択される割合（非確率変動大当たりとなる割合）は６／１００となっている。また、時短状態を生起するか否かは、大当たりと判定された時点の遊技状態によって決定される。詳細には、遊技状態が「確率変動非時短状態」であれば時短状態は生起されず（非時短状態が生起され）、その他の３つの遊技状態であれば時短状態が生起される。すなわち、非確率変動状態及び時短状態の少なくとも一方が生起されていれば、第一大当たり遊技終了後には「確率変動時短状態」又は「非確率変動時短状態」が生起されることとなる。
【００３０】
次いで、普通当たり判定について説明する。遊技球が普通図柄始動ゲート１２を通過すると、普通当たり判定が行われる。普通当たりであるか否かは、時短状態が生起されているか否かに応じてそれぞれの確率（９９／１００又は１／１００）で判定される。さらに、普通当たり遊技中の普通電動役物１３の開放時間は非時短状態中よりも時短状態中の方が長く、普通図柄表示部２４に表示される普通図柄の変動時間は時短状態中の方が短い。従って、遊技中に普通電動役物１３が開放される時間は、非時短状態中よりも時短状態中の方が大幅に長い。
【００３１】
次いで、第二大当たり判定について説明する。開放された普通電動役物１３へ遊技球が入賞すると、第二大当たり判定が行われ、第二大当たりと判定された場合には、第二大当たり遊技後に生起される遊技状態が決定される。ここで、第二大当たりと判定される確率、第二大当たり遊技後に確率変動状態を生起することを決定する確率、及び時短状態を生起するか否かを決定する条件は、全て第一大当たりの場合と同じである。一方で、第二大当たり遊技においては、開放された第二大入賞口１９は、９個の遊技球の入賞、及び３０秒の最大開放時間の経過のいずれかの条件が満たされるまで開放状態を継続し、これが２回繰り返される。よって、遊技状態が「確率変動時短状態」又は「非確率変動時短状態」となると、普通電動役物１３及び第二大入賞口１９への遊技球の入賞が非時短中よりも容易となり、遊技者は多数の遊技球を獲得する機会を得ることができる。さらに、時短状態中（大当たり判定が３０回行われる間）に大当たりとなると、その後再び時短状態が生起されるため、時短状態と大当たり遊技とが交互に連続し、多数の遊技球が払い出される。
【００３２】
次いで、リミッタについて説明する。パチンコ機１では、確率変動大当たりが３０回連続すると、大当たり遊技終了後には強制的に非確率変動状態が生起される、所謂リミッタ機能を備えている。従って、遊技者は、約１５分の１の大当たりを３０回繰り返せば、必ず１回は時短状態の遊技を行うことができ、多数の遊技球を獲得する機会を得ることができる。すなわち、パチンコ機１は、リミッタを利用した天井機能を備えることで遊技者の興趣を惹き付けることができ、この点に本発明の特徴を有する。この詳細は、図１５を参照して後述する。
【００３３】
次に、本実施の形態のパチンコ機１の電気的構成について、図４を参照して説明する。図４は、パチンコ機１の電気的構成を示すブロック図である。図４に示すように、制御部４０は、主基板４１、電源基板４２、演出制御基板４３、払出制御基板４５、電飾基板４６、中継基板４７、及びサブ統合基板５８から構成されている。この制御部４０は、パチンコ機１（図１参照）の裏側（背面側）に設けられている。
【００３４】
はじめに、主基板４１について説明する。パチンコ機１の主制御を司る主基板４１には、プログラムに従って各種の処理を行う主基板ＣＰＵユニット５０が設けられている。この主基板ＣＰＵユニット５０には、各種の演算処理を行うＣＰＵ５１と、演算処理中に発生するデータの値等を一時的に記憶するＲＡＭ５２と、制御プログラム、各種データの初期値、他の基板への指示を行うコマンド等を記憶したＲＯＭ５３とが設けられており、これらは１つのＬＳＩとして一体にモールディングされている。また、ＣＰＵユニット５０には割込信号発生回路５７が接続されており、ＣＰＵ５１は、この割込信号発生回路５７から割込信号が入力される毎に、ＲＯＭ５３に記憶されている制御プログラムを実行する。さらに、ＣＰＵ５１では時刻が計時されている。
【００３５】
また、主基板４１にはＩ／Ｏインタフェイス５４が設けられており、サブ統合基板５８、払出制御基板４５、中継基板４７等のサブ基板に加え、特別図柄始動入賞口１５に入賞した遊技球を検出するための近接スイッチである始動口スイッチ７２、及び普通電動役物１３に入賞した遊技球を検出するための近接スイッチである電動役物スイッチ７３が接続されている。また、主基板４１のＩ／Ｏインタフェイス５４には、図示外の遊技場管理用コンピュータにパチンコ機１の情報を出力する出力ポート５５が接続されている。
【００３６】
次いで、払出制御基板４５及び中継基板４７について説明する。払出制御基板４５には、ＣＰＵ４５ａや図示外の入力インタフェイス、ＲＡＭ及びＲＯＭが内蔵されており、賞品球払出装置４９に接続されている。そして、主基板４１から送信されるコマンドに従って、賞品球払出装置４９の制御を行う。また、中継基板４７には、普通電動役物１３の開閉部材を開放・閉鎖する電動役物開放ソレノイド６９、第一大入賞口１８の開閉部材を開放・閉鎖する第一大入賞口開放ソレノイド７０、第二大入賞口１９の開閉部材を開放・閉鎖する第二大入賞口開放ソレノイド７１、普通図柄始動ゲート１２を通過した遊技球を検出する普通図柄作動スイッチ７４、第一大入賞口１８に入賞した遊技球を検出する第一大入賞口スイッチ７５、第二大入賞口１９に入賞した遊技球を検出する第二大入賞口スイッチ７６、普通図柄表示部２４、第一特別図柄表示部２５、及び第二特別図柄表示部２６が接続されている。そして、中継基板４７は、スイッチやソレノイドの配線の中継と、主基板４１から直接制御される表示部等への中継とを行っている。尚、普通電動役物１３、特別図柄始動入賞口１５、第一大入賞口１８、及び第二大入賞口１９へ遊技球が入賞すると、所定数の遊技球が払い出される。
【００３７】
次いで、サブ統合基板５８、演出制御基板４３、及び電飾基板４６について説明する。サブ統合基板５８には、ＣＰＵ５８１、ＲＡＭ５８２、及びＲＯＭ５８３が設けられており、演出制御基板４３、電飾基板４６、及びスピーカ４８に接続されている。そして、主基板４１から送信されるコマンドに従って、演出等の総合的な制御を行っている。また、演出制御基板４３はＣＰＵ４３ａや図示外の入力インタフェイス、ＲＡＭ及びＲＯＭを内蔵しており、表示画面２８の制御を行っている。また、電飾基板４６はＣＰＵ４６ａや図示外の入力インタフェイス、ＲＡＭ及びＲＯＭを内蔵し、照明装置３５、普通図柄記憶数表示ＬＥＤ５９、第一特別図柄記憶数表示ＬＥＤ６０、及び第二特別図柄記憶数表示ＬＥＤ６１の制御を行っている。
【００３８】
次いで、電源基板４２について説明する。電源基板４２は、主基板４１及び遊技球発射装置３７に接続されており、各基板及び遊技球発射装置３７に直流の安定化した電力を供給している。遊技球発射装置３７は、図示外の発射モータや、発射ハンドル７に設けられたタッチセンサ、発射装置停止スイッチ、及び発射強弱調整ボリューム等からなり、一定間隔（０．６秒）毎に１個ずつ遊技球を遊技領域へ発射する。
【００３９】
次に、主基板４１のＲＡＭ５２の記憶エリアについて、図５を参照して説明する。図５は、主基板４１のＲＡＭ５２の記憶エリアを示す概念図である。図５に示すように、ＲＡＭ５２には、各種のカウンタを記憶するカウンタ記憶エリア５２０１、普通図柄始動ゲート１２や特別図柄始動入賞口１５等の各入賞口に遊技球が入賞したか否かを示すフラグを記憶する入賞球フラグ記憶エリア５２０２、普通図柄始動ゲート１２を遊技球が通過した際に取得される乱数を記憶する普通当たり関係情報記憶エリア５２０３、普通図柄作動保留球数を記憶する普通図柄作動保留球数記憶エリア５２０４、特別図柄始動入賞口１５への遊技球の入賞時に取得される乱数を記憶する第一大当たり関係情報記憶エリア５２０５、第一特別図柄作動保留球数を記憶する第一特別図柄作動保留球数記憶エリア５２０６、普通電動役物１３への遊技球の入賞時に取得される乱数を記憶する第二大当たり関係情報記憶エリア５２０７、第二特別図柄作動保留球数を記憶する第二特別図柄作動保留球数記憶エリア５２０８、主基板４１からサブ統合基板５８、払出制御基板４５、電飾基板４６、中継基板４７等へ出力される制御コマンドを記憶するコマンド関係記憶エリア５２０９、各種フラグを記憶するフラグ関係記憶エリア５２１０が設けられている。さらに、ＲＡＭ５２には、図示外の各種の記憶エリアが設けられている。
【００４０】
次に、ＲＡＭ５２のカウンタ記憶エリア５２０１に記憶される各カウンタについて説明する。ＲＡＭ５２に記憶されるカウンタには、乱数を取得するための乱数取得カウンタ、時間を計測するためのタイマカウンタ、入賞球数を計数するための入賞球数カウンタ、大当たり遊技が終了してから実行された第一大当たり判定及び第二大当たり判定の回数の和を計数する大当たり判定回数計数カウンタ、非確率変動大当たりを挟まずに確率変動大当たりが連続して決定された回数を記憶するリミッタ計数カウンタ等がある。
【００４１】
まず、乱数取得カウンタについて説明する。乱数取得カウンタとしては、普通当たり判定カウンタ、第一大当たり判定カウンタ、第一大当たり特別図柄作成カウンタ、第一変動パターン決定カウンタ、第二大当たり判定カウンタ、第二大当たり特別図柄作成カウンタ、第二変動パターン決定カウンタ等がある。これらのカウンタの値は、割込信号発生回路５７（図４参照）からの割込信号に基づいて実行されるメイン処理のカウンタ更新処理（Ｓ１２、図８参照）において、一定間隔の時間（例えば、割込信号発生の間隔である２ｍｓ）毎に所定量（例えば、「１」）ずつ加算される。また、各カウンタには最小値（下限値）及び最大値（上限値）が設けられており、最小値から最大値までの範囲の数値内を循環するように構成されている。つまり、更新の結果、カウンタの値が最大値と同じ値になると、次の更新でカウンタの値は最小値を取ることとなる。そして、各乱数取得カウンタには、パチンコ機１の起動時に初期値として「０」が記憶されており、更新により値が一巡して初期値「０」と同じ値となると、新たな初期値が取得され、その初期値に対して「１」ずつの加算が行われる。この新たな初期値は、ＣＰＵ５１がメイン処理（図８参照）を行わない間（メイン処理が終了し、割込信号により新たなメイン処理が開始されるまでの間）に繰り返し実行されている、図示外の初期値乱数処理（所定のアルゴリズムによって乱数を発生させる処理）によって生成された乱数が用いられる。
【００４２】
例えば、非確率変動時の第一大当たりを判定するために使用される第一大当たり判定カウンタの最大値は「１５０」、最小値は「０」である。そして、１割込毎（２ｍｓ毎）に「１」加算され、「１５１」以上となった際に「０」へ戻る。また、初期値乱数処理によって前回生成された乱数が「１８」であった場合には、「０」から「１」、「２」と加算されて、「１８」となった時点でまた新たな初期値が取得され、その初期値に対して「１」ずつの加算が行われる。尚、これらの乱数取得カウンタは、後述するメイン処理の特別図柄処理（図９乃至図１３参照）等において使用される。
【００４３】
次いで、タイマカウンタについて説明する。タイマカウンタは時間を計測するために使用されるカウンタであり、時間の計測開始時に初期値として所定の値が記憶される。例えば、１秒を計測する場合には初期値として「５００」が記憶される。そして、割込信号発生の間隔である２ｍｓ毎に行われるカウンタ更新処理（Ｓ１２、図８参照）において「１」ずつ減算されて、値が「０」でなければ時間の計測中であると判断され、値が「０」となることで所定時間が経過したと判断される。また、タイマカウンタの値は、「０」となった後は更新されないようにプログラムされている。
【００４４】
次いで、入賞球数カウンタについて説明する。入賞球数カウンタは、第一大入賞口１８及び第二大入賞口１９が１回の開閉動作を行う間に、この大入賞口１８，１９へ入賞した遊技球の個数を計数するために使用される。このカウンタの初期値は「０」であり、後述するメイン処理のスイッチ読込処理（Ｓ１１、図８参照）において、入賞が検出される毎に「１」加算される。そして、大入賞口１８，１９が閉鎖すると初期化される。
【００４５】
次いで、大当たり判定回数計数カウンタについて説明する。パチンコ機１における時短状態は、第一大当たり判定及び第二大当たり判定の判定回数の和が３０回に達すると終了する。また、確率変動状態は、大当たり判定回数の和が４０回に達すると終了する。そこで、本実施の形態では、大当たり遊技終了後に実行された第一大当たり判定及び第二大当たり判定の判定回数を大当たり判定回数計数カウンタによって計数し、計数された値に応じて遊技状態を制御している。この詳細は、図１３を参照して後述する。尚、判定回数が規定回数に到達する前に大当たりと判定された場合には、時短遊技状態及び確率変動状態はその時点で終了する。
【００４６】
次いで、リミッタ計数カウンタについて説明する。本実施の形態では、確率変動大当たりが３０回連続すると、大当たり遊技終了後には強制的に非確率変動状態が生起される、所謂リミッタ機能を備えている。そして、リミッタ計数カウンタは確率変動大当たりの連続回数を計数するカウンタであり、後述する特別図柄処理の大当たり種別判定処理（図１２参照）において、第一大当たり判定又は第二大当たり判定により確率変動大当たりと判定される毎に「１」加算される。また、このカウンタは、値が「３０」に達するか、大当たり判定において非確率変動大当たりと判定されるかのいずれかの条件が満たされると初期化される。
【００４７】
次に、ＲＡＭ５２の第一大当たり関係情報記憶エリア５２０５について、図６を参照して説明する。図６は、ＲＡＭ５２の大当たり関係情報記憶エリア５２０５を示す概念図である。この第一大当たり関係情報記憶エリア５２０５は、後述するメイン処理の特別図柄処理（図９乃至図１３参照）において使用される。図６に示すように、第一大当たり関係情報記憶エリア５２０５には判定エリア及び第一〜第四記憶エリアが設けられており、第一〜第四記憶エリアには、特別図柄始動入賞口１５に入賞し、まだ大当たり判定の結果が報知されていない遊技球（第一特別図柄作動保留球）の取得した乱数が記憶される。また、判定エリアには、現在行われている第一大当たり判定の結果報知や、第一大当たり遊技の基になった乱数が記憶されている。
【００４８】
この判定エリア及び第一〜第四記憶エリアのそれぞれには、第一大当たり判定カウンタの値が記憶される第一大当たり乱数欄と、第一大当たり特別図柄作成カウンタの値が記憶される第一大当たり特別図柄決定乱数欄と、第一変動パターン決定カウンタの値が記憶される第一変動パターン決定乱数欄と、遊技球が特別図柄始動入賞口１５へ入賞した際にＣＰＵ５１により計時されていた時刻が記憶される入賞時間欄とが設けられている。そして、特別図柄始動入賞口１５への遊技球の入賞が確認されると、ＲＡＭ５２の第一特別図柄作動保留球数記憶エリア５２０６の値（第一特別図柄作動保留球数）に対応する記憶エリアに各値が記憶され、この値に基づいて第一大当たり判定、第一特別図柄の決定、及び第一変動パターンの決定が行われる。尚、ＲＡＭ５２の第二大当たり関係情報記憶エリア５２０７においても、第一大当たり関係情報記憶エリア５２０５と同様の記憶エリアが設けられている。そして、遊技球が普通電動役物１３へ入賞した際に取得される情報（第二大当たり乱数や入賞時間等）が記憶される。
【００４９】
また、本実施の形態では、遊技球の入賞順に第一大当たり判定及び第二大当たり判定の判定結果が報知される。よって、第一大当たり関係情報記憶エリア５２０５及び第二大当たり関係情報記憶エリア５２０７の両方に保留球が記憶されている場合には、第一記憶エリアに記憶されている入賞時間を比較して、入賞時間が早い方の乱数についての判定結果が報知される。また、ＲＡＭ５２の普通当たり関係情報記憶エリア５２０３においても判定エリア、第一〜第四記憶エリアが設けられており、普通当たり乱数等を保留できるようになっている。
【００５０】
次に、主基板４１のＲＯＭ５３の記憶エリアについて、図７を参照して説明する。図７は、主基板４１のＲＯＭ５３の記憶エリアを示す概念図である。ＲＯＭ５３には、パチンコ機１のリセットが行われる際に各記憶エリアに記憶される初期値等を記憶する初期設定記憶エリア５３０１と、ＣＰＵ５１がパチンコ機１を制御するための各種プログラムを記憶する制御プログラム記憶エリア５３０２と、主基板４１からサブ統合基板５８等に出力される制御コマンドのテーブルを記憶する制御コマンドテーブル記憶エリア５３０３と、２つの特別図柄表示部２５，２６に表示する特別図柄の組み合わせを記憶する特別図柄組み合わせパターン記憶エリア５３０４と、第一大当たり判定及び第二大当たり判定の判定結果を報知する際の図柄の変動パターンに関するテーブル等の情報が記憶されている特別図柄変動パターン記憶エリア５３０５と、普通当たり判定、第一大当たり判定、第二大当たり判定、特別図柄の決定等が行われる際に参照される各種テーブルを記憶する判定テーブル記憶エリア５３０６とが設けられている。さらに、ＲＯＭ５３には、図示外の各種の記憶エリアが設けられている。
【００５１】
次に、パチンコ機１の主基板４１による動作の詳細について、図８乃至図１４を参照して説明する。図８は、主基板４１におけるメイン処理のフローチャートであり、図９乃至図１１は、メイン処理の中で行われる特別図柄処理のサブルーチンのフローチャートである。また、図１２は、図１１に示す特別図柄処理の中で行われる大当たり種別判定処理のサブルーチンのフローチャートであり、図１３は、図１０に示す特別図柄処理の中で行われる遊技状態移行処理のサブルーチンのフローチャートである。また、図１４は、メイン処理の中で行われる特別電動役物処理のサブルーチンのフローチャートである。以下、フローチャートの各ステップについて「Ｓ」と略記する。
【００５２】
パチンコ機１の制御は、ＲＯＭ５３の制御プログラム記憶エリア５３０２に記憶されている制御プログラムにより行われる。制御プログラムのメイン処理は、割込信号発生回路５７（図４参照）が発生する割込信号をＣＰＵ５１が感知した際に、ＣＰＵ５１において実行される。割込信号は、一定の間隔（本実施の形態では２ｍｓ）毎に発生されるので、メイン処理は２ｍｓ毎に繰り返し実行されることになる。
【００５３】
まず、主基板４１で行われるメイン処理について、図８を参照して説明する。図８に示すように、割込信号の感知によってメイン処理が開始されると、まず、コマンド出力処理が行われる（Ｓ１０）。このコマンド出力処理では、制御コマンドが、Ｉ／Ｏインタフェイス５４を介してサブ統合基板５８や払出制御基板４５、電飾基板４６、中継基板４７等に出力される。制御コマンドは多数設けられており、第一大入賞口１８の開放タイミングを指示する第一大入賞口開放コマンド、第二大入賞口１９の開放タイミングを指示する第二大入賞口開放コマンド、大入賞口１８，１９の閉鎖タイミングを指示する大入賞口閉鎖コマンド、決定された特別図柄を示す第一特別図柄指定コマンド及び第二特別図柄指定コマンド、決定された変動パターンを指示する第一変動パターン指定コマンド及び第二変動パターン指定コマンド、特別図柄の変動開始を指示する第一特別図柄変動開始コマンド及び第二特別図柄変動開始コマンド、変動している特別図柄の停止を指示する特別図柄停止コマンド等のコマンドがある。また、普通図柄に関するコマンドとしては、普通図柄の変動開始・停止を指示する普通図柄変動開始コマンド及び普通図柄停止コマンド等に加え、非時短状態中に普通当たりと判定された際に、普通電動役物１３が開放されることを表示画面２８に表示させるための電動役物開放表示コマンドが設けられている。ここで出力される制御コマンドは、前回実施されたメイン処理においてコマンド関係記憶エリア５２０９に出力コマンドとして記憶された制御コマンドである。
【００５４】
次いで、スイッチ読込処理が行われる（Ｓ１１）。このスイッチ読込処理では、普通図柄始動ゲート１２、普通電動役物１３、特別図柄始動入賞口１５、第一大入賞口１８、及び第二大入賞口１９への遊技球の入賞を検知する処理が行われる。具体的には、これらの入賞口に設けられた各スイッチ（図４参照）により遊技球が検出されたか否かが判断される。そして、遊技球が検出された場合には、ＲＡＭ５２の入賞球フラグ記憶エリアに記憶された各スイッチに対応したフラグがＯＮとされる。また、第一大入賞口１８及び第二大入賞口１９への遊技球の入賞が検出された場合には、１回の開放動作中に大入賞口１８，１９へ入賞した遊技球の個数を計数するために、先述した入賞球数カウンタに「１」が加算される。この入賞球数カウンタの値は、大入賞口１８，１９が閉鎖されると、後述する特別電動役物処理（図１４参照）において初期化される。尚、スイッチ読込処理の開始時には、入賞球フラグ記憶エリアの全てのフラグがリセットされる。
【００５５】
次いで、カウンタ更新処理が行われる（Ｓ１２）。先述したように、このカウンタ更新処理では、ＲＡＭ５２のカウンタ記憶エリア５２０１に記憶されている乱数取得カウンタの各値が所定量だけ加算され、タイマカウンタの各値が所定量だけ減算される。
【００５６】
次いで、特別電動役物処理が行われる（Ｓ１３）。この特別電動役物処理では、大当たり遊技状態となっている場合に、２つの大入賞口１８，１９の開閉動作を指示するための制御コマンドを、サブ統合基板５８及び中継基板４７へ送信するための処理が行われる。ここで、本実施の形態では、第一大当たり遊技及び第二大当たり遊技の２つの大当たり遊技が設けられている。そして、第一大当たり遊技中であることを示す第一大当たり遊技フラグがＯＮとなっている場合には、第一大入賞口１８を最大で０．２秒開放させ、この動作を２回繰り返すためのコマンドが記憶される。一方で、大当たり遊技状態であり、且つ第一大当たり遊技フラグがＯＦＦとなっている場合、すなわち第二大当たり遊技中である場合には、３０秒の最大開放時間の経過、及び９個の遊技球の入賞のいずれかの条件が満たされるまで第二大入賞口１９を開放させ、この動作を２回繰り返すためのコマンドが記憶される。従って、第一大当たり遊技中には第二大当たり遊技中とは異なり、遊技者は多数の遊技球の払い出しを受けることはできない。
【００５７】
また、特別電動役物処理では、第一大当たり遊技及び第二大当たり遊技の終了時に、その後の遊技状態を制御する処理が行われる。後述する特別図柄処理において、時短状態を生起させることを示す「１」が時短当選フラグに記憶されて「ＯＮ」となっている場合には、特別電動役物処理では、時短状態中であるか否かを示す時短中フラグが「ＯＮ」とされる。一方で、時短当選フラグが「ＯＦＦ」となっている場合には、時短中フラグは「ＯＦＦ」とされたまま特別電動役物処理は終了する。また、確率変動状態を生起させることを示す「１」が確率変動当選フラグに記憶されて「ＯＮ」となっている場合には、確率変動状態であることを示す確率変動フラグが「ＯＮ」とされる。一方で、確率変動当選フラグが「ＯＦＦ」となっている場合には、確率変動フラグは「ＯＦＦ」とされたまま特別電動役物処理は終了する。尚、この特別電動役物処理は、後述する特別図柄処理の遊技状態移行処理（図１３参照）において、大当たり遊技状態であるか否かを示す大当たり遊技状態フラグが「ＯＮ」とされている際に実行される。そして、第一大当たり遊技又は第二大当たり遊技が終了すると、大当たり遊技状態フラグを「ＯＦＦ」とする処理が行なわれる。この詳細は図１４のフローチャートを参照して後述する。
【００５８】
次いで、特別図柄処理が行われる（Ｓ１４）。この特別図柄処理では、第一大当たり判定及び第二大当たり判定、表示画面２８に表示される図柄や変動パターンの決定、指示、図柄の変動開始及び変動終了の指示等が行われる。さらに、大当たり遊技終了後の遊技状態を決定する処理、及び遊技状態を移行させる処理が行われる。この特別図柄処理については、図９乃至図１３に示すフローチャートを参照して後述する。
【００５９】
次いで、普通電動役物処理が行われる（Ｓ１５）。この普通電動役物処理では、普通当たりとなった場合に、普通電動役物１３に設けられた一対の開閉部材（所謂チューリップ）の開閉動作（普通当たり遊技中の動作）の制御が行われる。ここで、時短状態が生起されている場合には、生起されていない場合（非時短状態中）に比べて普通電動役物１３を長い時間開放させる。よって、非時短状態中は、普通当たりとなった場合でも普通電動役物１３へ遊技球を入賞させることは困難である。
【００６０】
次いで、普通図柄処理が行われる（Ｓ１６）。この普通図柄処理では、普通当たり乱数の取得、普通当たり判定、普通図柄表示部２４の表示に関する制御等が行われる。まず、スイッチ読込処理（Ｓ１１）にて普通図柄始動ゲート１２への遊技球の通過が検出された場合には、普通当たり判定カウンタの値が普通当たり乱数として取得される。取得された乱数は、ＲＡＭ５２の普通当たり関係情報記憶エリア５２０３の第一〜第四記憶エリアのうち、普通図柄作動保留球数記憶エリア５２０４に記憶されている値に対応する番号の記憶エリアに普通当たり乱数として記憶される。そして、時短状態が生起されている場合には高確率の判定テーブル（９９／１００）が、生起されていない場合には低確率の判定テーブル（１／１００）が参照されて、判定エリアの普通当たり乱数により普通当たり判定が行われる。さらに、時短状態中の普通図柄の変動時間は、非時短状態中の変動時間よりも大幅に短くなっている。これにより、普通電動役物１３が開放されている時間は、非時短状態中よりも時短状態中の方が大幅に長くなるため、遊技者は時短状態となることを期待しながら遊技を行うこととなる。
【００６１】
また、普通当たりと判定された場合には、表示画面２８、照明装置３５、及びスピーカ４８により、普通当たりと判定された旨の報知演出が行われる。ここで、非時短状態中に普通当たりと判定された場合には、時短状態中に普通当たりと判定された場合よりもスピーカ４８の音量を大きくし、より長い時間をかけて報知演出を行う（チャンス演出）。これにより、第一大当たり遊技よりも多くの遊技球を獲得可能な第二大当たりが非時短状態中に実行される機会が与えられることを遊技者に効果的に報知することができ、遊技者の興趣を惹き付けることができる。
【００６２】
次いで、賞品球の払い出しを行う払出処理（Ｓ１７）、及びエラーチェック（Ｓ１８）が行われる。パチンコ機１にエラーが発生している場合には、表示画面２８にエラー表示を行わせたり、照明装置３５を点灯・点滅させたり、スピーカ４８にエラー音を発音させたりする。そこで、Ｓ１０のコマンド出力処理にてサブ統合基板５８へ送信するためのエラーコマンドがＲＡＭ５２のコマンド関係記憶エリア５２０９に記憶される。次いで、情報出力処理（Ｓ１９）において、図示外の遊技場管理用コンピュータにパチンコ機１の大当たり情報、始動情報等の各種の情報が出力ポートを介して出力される。情報出力処理が終わるとメイン処理は終了する。そして、割込信号発生回路５７から割込信号を受信すると、また最初からメイン処理が実行される。
【００６３】
次に、メイン処理の特別図柄処理（Ｓ１４）の詳細について、図９乃至図１３に示すフローチャートを参照して説明する。先述したように、特別図柄処理では、第一大当たり判定、第二大当たり判定、表示画面２８等に表示される図柄や変動パターンの決定、大当たり種別判定処理、遊技状態移行処理等が行われる。
【００６４】
はじめに、特別図柄処理で使用されるフラグについて説明する。ＲＡＭ５２のフラグ関係記憶エリア５２１０には、特別図柄表示状態フラグ、大当たり遊技状態フラグ、確率変動フラグ、時短中フラグ、時短当選フラグ、確率変動当選フラグ、第一大当たり遊技フラグ等が記憶されている。
【００６５】
特別図柄表示状態フラグは第一特別図柄表示部２５及び第二特別図柄表示部２６の状態を示すフラグであり、２つの特別図柄表示部２５，２６のいずれか一方が変動している場合（変動中）には「１」、いずれか一方が停止表示されている場合（停止表示中）には「２」、両方とも変動中でも停止表示中でもない場合には「０」が記憶されている。また、大当たり遊技状態フラグは、第一大当たり遊技中又は第二大当たり遊技中に「１」が記憶されて「ＯＮ」となっており、そうでない場合には「０」が記憶されて「ＯＦＦ」となっている。また、確率変動フラグは、確率変動状態中に「１」が記憶されて「ＯＮ」となっており、非確率変動状態中には「０」が記憶されて「ＯＦＦ」となっている。同様に、時短中フラグは時短状態中に「ＯＮ」、非時短状態中に「ＯＦＦ」となっている。また、時短当選フラグは、大当たり遊技終了後に時短状態を生起すると決定された場合に「１」が記憶されて「ＯＮ」なっており、時短状態を生起させない場合には「０」が記憶されて「ＯＦＦ」となっている。同様に、確率変動当選フラグは、大当たり遊技終了後に確率変動状態を生起する場合に「ＯＮ」、そうでない場合に「ＯＦＦ」となっている。また、第一大当たり遊技フラグは、第一大当たり遊技中に「ＯＮ」とされ、第二大当たり遊技中を含めたその他の場合には「ＯＦＦ」とされる。
【００６６】
図９に示すように、メイン処理の特別図柄処理が開始されると、特別図柄始動入賞口１５へ遊技球が入賞しているか否かが判断される（Ｓ２１）。特別図柄始動入賞口１５に設けられた始動口スイッチ７２が遊技球の入賞を検出した場合には、メイン処理のスイッチ読込処理（Ｓ１１、図８参照）において、入賞球フラグ記憶エリア５２０２の始動口スイッチ７２に対応するフラグが「ＯＮ」とされている。そこで、Ｓ２１では、このフラグが「ＯＮ」であるか否かの判断が行われる。「ＯＮ」でない場合には（Ｓ２１：ＮＯ）、特別図柄始動入賞口１５に遊技球は入賞していないので、そのままＳ２５の判断へ移行する。
【００６７】
始動口スイッチ７２に対応するフラグが「ＯＮ」である場合には（Ｓ２１：ＹＥＳ）、特別図柄始動入賞口１５に遊技球が入賞しているので、その遊技球についての乱数が取得され、第一大当たり関係情報記憶エリア５２０５（図６参照）に記憶される。しかし、乱数を取得して記憶することができる第一特別図柄作動保留球の数は４個である。そこで、第一特別図柄作動保留球数記憶エリア５２０６の値が「４」であるか否かの判断が行われる（Ｓ２２）。第一特別図柄作動保留球数記憶エリア５２０６の値が「４」である場合には（Ｓ２２：ＹＥＳ）、この遊技球についての乱数は記憶できないので、そのままＳ２５の判断へ移行する。
【００６８】
第一特別図柄作動保留球数記憶エリア５２０６の値が「４」でない場合、すなわち「０」〜「３」のいずれかである場合には（Ｓ２２：ＮＯ）、第一特別図柄作動保留球数記憶エリア５２０６の値に「１」が加算される（Ｓ２３）。そして、第一大当たり関係情報記憶エリア５２０５の第一〜第四記憶エリアのうち、第一特別図柄作動保留球数記憶エリア５２０６の値に対応する番号の記憶エリアに乱数が記憶される（Ｓ２４）。具体的には、第一大当たり乱数欄には第一大当たり判定カウンタの値が記憶され、第一大当たり特別図柄決定乱数欄には第一大当たり特別図柄作成カウンタの値が記憶され、第一変動パターン決定乱数欄には第一変動パターン決定カウンタの値が記憶され、入賞時間欄にはその時の時刻が記憶される。
【００６９】
次いで、普通電動役物１３への遊技球の入賞に関する処理が行われる。まず、普通電動役物１３へ遊技球が入賞しているか否かが判断される（Ｓ２５）。普通電動役物１３に設けられた電動役物スイッチ７３に対応するフラグが「ＯＦＦ」となっており、普通電動役物１３へ遊技球が入賞していないと判断された場合には（Ｓ２５：ＮＯ）、そのままＳ３１（図１０参照）の判断へ移行する。普通電動役物１３へ遊技球が入賞していると判断された場合には（Ｓ２５：ＹＥＳ）、第二特別図柄作動保留球数記憶エリア５２０８の値が「４」であるか否かの判断が行われる（Ｓ２６）。「４」である場合には（Ｓ２６：ＹＥＳ）、この遊技球についての乱数は記憶できないので、そのままＳ３１の判断へ移行する。
【００７０】
第二特別図柄作動保留球数記憶エリア５２０８の値が「４」でない場合には（Ｓ２６：ＮＯ）、第二特別図柄作動保留球数記憶エリア５２０８の値に「１」が加算される（Ｓ２７）。そして、第二大当たり関係情報記憶エリア５２０７の記憶エリアに各種乱数及び入賞時間が記憶される（Ｓ２８）。
【００７１】
次いで、図１０のフローチャートに示すように、大当たり遊技状態であるか否かの判断が大当たり遊技状態フラグによって行われる（Ｓ３１）。大当たり遊技状態である場合には、大当たり判定や判定結果の報知は行われない。そこで、大当たり遊技状態フラグが「ＯＮ」であり、大当たり遊技状態である場合には（Ｓ３１：ＹＥＳ）、何もせずにメイン処理へ戻る。
【００７２】
大当たり遊技状態でないと判断された場合には（Ｓ３１：ＮＯ）、第一特別図柄表示部２５及び第二特別図柄表示部２６の制御に関する処理が行われる。まず、特別図柄表示状態フラグにより、２つの特別図柄表示部２５，２６のいずれかが変動中であるか否かの判断が行われる（Ｓ３２）。表示状態フラグが「１」でなく、特別図柄表示部２５，２６が共に変動中でない場合には（Ｓ３２：ＮＯ）、表示状態フラグにより、いずれかが停止表示中であるか否かの判断が行われる（Ｓ３３）。表示状態フラグが「２」でなく、２つの特別図柄表示部２５，２６が共に停止表示中でない場合には（Ｓ３３：ＮＯ）、大当たり判定が行われる。
【００７３】
そこで、図１１のフローチャートに示すように、大当たり判定を行うべき遊技球が存在するか否かの確認が行われる。まず、ＲＡＭ５２の第一特別図柄作動保留球数記憶エリア５２０６の値により、第一特別図柄作動保留球の数が「１」以上であるか否かが判断される（Ｓ４１）。「１」以上である場合には（Ｓ４１：ＹＥＳ）、第二特別図柄作動保留球数記憶エリア５２０８の値により、第二特別図柄作動保留球の数が「１」以上であるか否かの判断が行われる（Ｓ４２）。第一特別図柄作動保留球数が「１」以上であり、第二特別図柄作動保留球数が「０」である場合には（Ｓ４１：ＹＥＳ、Ｓ４２：ＮＯ）、第一大当たり判定を行うため、Ｓ４５の処理へ移行する。一方で、第一特別図柄作動保留球数及び第二特別図柄作動保留球数が共に「１」以上である場合には（Ｓ４１：ＹＥＳ、Ｓ４２：ＹＥＳ）、入賞時間の早い遊技球に関する大当たり判定から先に行われる。よって、第一判定エリアの入賞時間欄に記憶されている時間同士が比較されて、いずれの入賞時間が早いかの判断が行われる（Ｓ４３）。第一特別図柄作動保留球の入賞時間が早い場合には（Ｓ４３：ＹＥＳ）、第一大当たり判定を先に行うため、Ｓ４５の処理へ移行する。また、第二特別図柄作動保留球の入賞時間が早い場合には（Ｓ４３：ＮＯ）、第二大当たり判定を先に行うため、Ｓ６１の処理へ移行する。
【００７４】
また、第一特別図柄作動保留球数が「０」であった場合にも（Ｓ４１：ＮＯ）、第二特別図柄作動保留球数が「１」以上であるか否かの判断が行われる（Ｓ４４）。第一特別図柄作動保留球数が「０」であり、第二特別図柄作動保留球数が「１」以上である場合には（Ｓ４１：ＮＯ、Ｓ４４：ＹＥＳ）、第二大当たり判定を行うため、Ｓ６１の処理へ移行する。また、保留球数が共に「０」である場合には（Ｓ４１：ＮＯ、Ｓ４４：ＮＯ）、大当たり判定を行うべき遊技球は存在しないので、そのままメイン処理へ戻る。
【００７５】
第一大当たり判定では、まず、第一特別図柄作動保留球数記憶エリア５２０６の値が「１」減算され（Ｓ４５）、第一大当たり関係情報記憶エリア５２０５に記憶されている値がシフトされる。すなわち、第一記憶エリアに記憶されている乱数が判定エリアにシフトされ、第二〜第四記憶エリアに記憶されている乱数が番号の１つ若い記憶エリアへシフトされ、第四記憶エリアの値がクリアされる（Ｓ４６）。
【００７６】
次いで、第一大当たり判定が行われる（Ｓ４７〜Ｓ４９）。この第一大当たり判定は、ＲＯＭ５３の判定テーブル記憶エリア５３０６に記憶に記憶されている第一大当たり判定テーブルが参照されて、判定エリアの大当たり乱数欄（図５参照）に記憶されている値により行われる。確率変動フラグに「１」が記憶されて「ＯＮ」となっている確率変動状態中であれば（Ｓ４７：ＹＥＳ）、大当たりとして決められている特定の値の数が非確率変動状態中よりも多い第一高確率判定テーブルが参照されて第一大当たり判定が行われる（Ｓ４８）。一方で、確率変動フラグが「ＯＦＦ」となっている非確率変動状態中であれば（Ｓ４７：ＮＯ）、第一低確率判定テーブルが参照されて判定が行われる（Ｓ４９）。
【００７７】
次いで、変動パターンを決定する処理、及び第一特別図柄を決定する処理が行われる。まず、第一大当たり判定の結果が「大当たり」であるか否かが判断される（Ｓ５０）。「大当たり」であれば（Ｓ５０：ＹＥＳ）、当たり変動パターン決定処理（Ｓ５１）において、当たりを示す第一特別図柄の変動パターンが決定されると共に、決定された変動パターンをサブ統合基板５８に指示する変動パターン指定コマンドがコマンド関係記憶エリア５２０９に記憶される。ここで、変動パターンを決定する処理は、第一大当たり関係情報記憶エリア５２０５（図６参照）の第一変動パターン決定乱数欄に記憶されている値により、テーブルが参照されて行われる。尚、変動パターン指定コマンドの受信を契機として、表示画面２８内のデモ図柄及び第一特別図柄表示部２５の変動が開始される。
【００７８】
そして、特別図柄決定処理（Ｓ５２）では、大当たりを示す第一特別図柄が決定され、決定された第一特別図柄を示す特別図柄指定コマンドがコマンド関係記憶エリア５２０９に記憶される。この特別図柄指定コマンドは、次に行われるメイン処理のコマンド出力処理（Ｓ１０、図８参照）において、サブ統合基板５８及び中継基板４７へ送信される。また、大当たり特別図柄の決定は、第一大当たり関係情報記憶エリア５２０５の第一特別図柄決定乱数欄の値によりテーブルが参照されて行われ、これにより、確率変動図柄及び非確率変動図柄のいずれかが決定される。一方で、第一大当たり判定の結果が「大当たり」でなければ（Ｓ５０：ＮＯ）、はずれを示す変動パターンの決定、及び決定された変動パターンを指定するコマンドの記憶が行われる（Ｓ５３）。そして、はずれを示す第一特別図柄が決定され、特別図柄指定コマンドが記憶される（Ｓ５４）。
【００７９】
また、第二大当たり判定でも、第一大当たり判定と同様の流れで各種処理が行われる。まず、第二特別図柄作動保留球数記憶エリア５２０８の値が「１」減算され（Ｓ６１）、第二大当たり関係情報記憶エリア５２０７に記憶されている値がシフトされる。次いで、確率変動フラグにより確率変動状態中であるか否かの判断が行われ（Ｓ６３）、確率変動状態中であれば（Ｓ６３：ＹＥＳ）、大当たりとして決められている特定の値の数が非確率変動状態中よりも多い第二高確率判定テーブルが参照されて第二大当たり判定が行われる（Ｓ６４）。一方で、確率変動状態中でなければ（Ｓ６３：ＮＯ）、第二低確率判定テーブルが参照されて判定が行われる（Ｓ６５）。
【００８０】
次いで、変動パターンを決定する処理、及び第一特別図柄を決定する処理が行われる。まず、第二大当たり判定の結果が「大当たり」であるか否かが判断され（Ｓ６６）、「大当たり」であれば（Ｓ６６：ＹＥＳ）、当たりを示す変動パターンの決定、及び決定された変動パターンを指定するコマンドの記憶が行われる（Ｓ６７）。そして、当たりを示す第二特別図柄が決定され、特別図柄指定コマンドが記憶される（Ｓ６８）。また、第二大当たり判定の結果が「大当たり」でなければ（Ｓ６６：ＮＯ）、はずれを示す変動パターンが決定され、この変動パターンを指定するコマンドが記憶される（Ｓ６９）。そして、はずれを示す第二特別図柄が決定され、特別図柄指定コマンドが記憶される（Ｓ７０）。次いで、大当たり種別判定処理（Ｓ７５）が行われる。
【００８１】
次に、大当たり種別判定処理について、図１２のフローチャートを参照して説明する。この大当たり種別判定処理では、大当たり判定時の遊技状態と、既に決定されている大当たり特別図柄とに応じて大当たり種別が判定され、大当たり遊技終了後の遊技状態を制御するためのフラグの処理が判定された大当たり種別に応じて行われる。
【００８２】
まず、第一大当たり判定又は第二大当たり判定の結果が「大当たり」であるか否かの判断が行われ（Ｓ８１）、「大当たり」でなければ（Ｓ８１：ＮＯ）、そのまま図１１に示す特別図柄処理へ戻る。「大当たり」である場合には（Ｓ８１：ＹＥＳ）、時短状態中であるか否かの判断が時短中フラグによって行われる（Ｓ８２）。本実施の形態では、時短状態及び非確率変動状態の少なくともいずれかが大当たり判定時に生起されていれば、大当たり遊技終了後に必ず時短状態が生起される。従って、時短状態中であることを示す「１」が時短中フラグに記憶されて「ＯＮ」となっている場合には（Ｓ８２：ＹＥＳ）、大当たり遊技終了後に時短状態を生起することを示す「１」が時短当選フラグに記憶されて「ＯＮ」とされ（Ｓ８３）、Ｓ８６の判断へ移行する。
【００８３】
また、時短中フラグが「ＯＦＦ」となっている場合には（Ｓ８２：ＮＯ）、確率変動状態中であるか否かの判断が確率変動フラグによって判断される（Ｓ８４）。確率変動フラグが「ＯＦＦ」となっている場合には（Ｓ８４：ＮＯ）、時短当選フラグが「ＯＮ」とされて（Ｓ８３）、Ｓ８６の判断へ移行する。一方で、確率変動フラグが「ＯＮ」となっており、時短状態及び非確率変動状態のいずれも生起されていない場合には（Ｓ８４：ＹＥＳ）、時短当選フラグは「ＯＦＦ」とされたまま、Ｓ８６の判断へ移行する。
【００８４】
次いで、既に決定されている大当たり特別図柄が確率変動図柄であるか否かの判断が行われる（Ｓ８６）。先述したように、第一大当たり判定又は第二大当たり判定によって「大当たり」と判定された場合には、特別図柄決定処理（Ｓ５２又はＳ６８、図１１参照）において、確率変動図柄及び非確率変動図柄のいずれかが大当たり特別図柄として決定されている。この特別図柄が確率変動図柄である場合には（Ｓ８６：ＹＥＳ）、確率変動大当たりの連続回数を計数するリミッタ計数カウンタに「１」が加算される（Ｓ８７）。
【００８５】
そして、リミッタ計数カウンタの値により、確率変動大当たりの連続回数がリミットである３０回に達したか否かの判断が行われる（Ｓ８８）。リミッタ計数カウンタの値が「２９」以下であり、リミットに達していない場合には（Ｓ８８：ＮＯ）、大当たり遊技終了後に確率変動状態を生起することを示す「１」が確率変動当選フラグに記憶されて「ＯＮ」とされ（Ｓ８９）、特別図柄処理へ戻る。一方で、リミッタ計数カウンタの値が「３０」であり、リミットに達している場合には（Ｓ８８：ＹＥＳ）、大当たりが確率変動大当たりであっても、確率変動当選フラグはそのまま「ＯＦＦ」の状態とされる。そして、リミッタ計数カウンタが初期化されて値が「０」とされ（Ｓ９０）、特別図柄処理へ戻る。また、大当たり特別図柄が非確率変動図柄である場合には（Ｓ８６：ＮＯ）、リミッタ計数カウンタが初期化されて（Ｓ９０）、特別図柄処理へ戻る。
【００８６】
次いで、図１１のフローチャートに示すように、大当たり種別判定処理（Ｓ７５）が終了すると、既に決定されている変動パターンにより決められている特別図柄の変動時間が、特別図柄変動時間カウンタに記憶される（Ｓ７６）。そして、２つの特別図柄表示部２５，２６のいずれか一方が変動していることを示す「１」が特別図柄表示状態フラグに記憶されて（Ｓ７７）、特別図柄処理を終了し、メイン処理へ戻る。
【００８７】
また、図１０のフローチャートに示すＳ３２の判断において、特別図柄表示状態フラグに「１」が記憶されており、特別図柄表示部２５，２６のいずれかが変動中であると判断された場合には（Ｓ３２：ＹＥＳ）、変動時間が経過したか否かの判断が行われる（Ｓ１０１）。Ｓ７６（図１１参照）でセットされた特別図柄変動時間カウンタの値が「０」となっており、変動時間が経過したと判断された場合には（Ｓ１０１：ＹＥＳ）、コマンド関係記憶エリア５２０９に特別図柄停止コマンドが記憶される（Ｓ１０２）。この特別図柄停止コマンドは、変動しているいずれかの特別図柄表示部２５，２６の変動停止を指示するコマンドである。そして、停止表示時間が特別図柄停止時間カウンタに記憶され（Ｓ１０３）、特別図柄表示部２５，２６のいずれか一方が停止表示中であることを示す「２」が特別図柄表示状態フラグに記憶されて（Ｓ１０４）、メイン処理へ戻る。一方、Ｓ１０１の判断において、特別図柄停止時間カウンタの値が「０」でなく、変動時間がまだ経過していない場合には（Ｓ１０１：ＮＯ）、そのままメイン処理へ戻る。
【００８８】
また、Ｓ３３の判断において、特別図柄表示状態フラグに「２」が記憶されており、特別図柄表示部２５，２６のいずれかが停止表示中であると判断された場合には（Ｓ３３：ＹＥＳ）、Ｓ１０３でセットされた特別図柄停止時間カウンタの値により、停止表示時間が経過したか否かの判断が行われる（Ｓ１０５）。特別図柄停止時間カウンタの値が「０」でなく、停止表示時間がまだ経過していない場合には（Ｓ１０５：ＮＯ）、停止表示を継続するため、そのままメイン処理へ戻る。また、特別図柄停止時間カウンタの値が「０」である場合には、停止表示時間が経過したので（Ｓ１０５：ＹＥＳ）、特別図柄表示部２５，２６が共に変動中でも停止表示中でもないことを示す「０」が特別図柄表示状態フラグに記憶される（Ｓ１０６）。そして、遊技状態移行処理（Ｓ１０７）が行われる。
【００８９】
次に、遊技状態移行処理について、図１３を参照して説明する。遊技状態移行処理では、第一大当たり遊技及び第二大当たり遊技を実行するためのフラグの制御と、時短状態及び確率変動状態を生起させるためのフラグの制御とが行われる。まず、大当たり判定の結果が「大当たり」であるか否かの判定が行われる（Ｓ１１１）。「大当たり」であると判断された場合には（Ｓ１１１：ＹＥＳ）、大当たり遊技終了後に実行された大当たり判定の回数を計数する大当たり判定カウンタの値が初期化される（Ｓ１１２）。次いで、大当たり遊技中であることを示す「１」が大当たり遊技状態フラグに記憶されて「ＯＮ」とされ（Ｓ１１３）、大当たりが第一大当たりであるか否かの判断が行われる（Ｓ１１４）。第一大当たりである場合には（Ｓ１１４：ＹＥＳ）、第一大当たり遊技中であることを示す「１」が第一大当たり遊技フラグに記憶されて「ＯＮ」とされ（Ｓ１１５）、確率変動フラグ及び時短中フラグが「ＯＮ」となっている場合にいずれも「ＯＦＦ」に切り替えられて（Ｓ１１６）、図１０に示す特別図柄処理へ戻る。また、第一大当たりでなく第二大当たりである場合には（Ｓ１１４：ＮＯ）、第一大当たり遊技フラグは「ＯＦＦ」とされたまま、確率変動フラグ及び時短中フラグが「ＯＦＦ」とされて（Ｓ１１６）、特別図柄処理へ戻る。
【００９０】
また、大当たり判定の結果が「はずれ」であると判断された場合には（Ｓ１１１：ＮＯ）、大当たり判定回数計数カウンタの値に「１」が加算される（Ｓ１１８）。このカウンタのインクリメントは、大当たりが第一大当たりであるか、第二大当たりであるかに関わらず行われる。
【００９１】
そして、時短中フラグにより、時短状態中であるか否かの判断が行われる（Ｓ１１９）。時短中フラグが「ＯＮ」となっている時短状態中である場合には（Ｓ１１９：ＹＥＳ）、大当たり遊技終了後に実行された大当たり判定の回数が「３０」であるか否かの判断が行われる（Ｓ１２０）。大当たり判定回数計数カウンタの値が「３０」でない場合には（Ｓ１２０：ＮＯ）、そのまま特別図柄処理へ戻る。一方で、大当たり判定回数計数カウンタの値が「３０」であり、実行された大当たり判定の回数が３０回である場合には（Ｓ１２０：ＹＥＳ）、非時短状態であることを示す「０」が時短中フラグに記憶されて「ＯＦＦ」とされ（Ｓ１２１）、特別図柄処理へ戻る。
【００９２】
また、時短中フラグが「ＯＦＦ」となっている非時短状態中である場合には（Ｓ１１９：ＮＯ）、確率変動フラグにより、確率変動中であるか否かの判断が行われる（Ｓ１２４）。確率変動フラグが「ＯＮ」となっている確率変動中である場合には（Ｓ１２４：ＹＥＳ）、大当たり遊技終了後に実行された大当たり判定の回数が「４０」であるか否かの判断が行われる（Ｓ１２５）。大当たり判定回数計数カウンタの値が「４０」でない場合には（Ｓ１２５：ＮＯ）、そのまま特別図柄処理へ戻る。一方で、大当たり判定回数計数カウンタの値が「４０」であり、実行された大当たり判定の回数が４０回である場合には（Ｓ１２５：ＹＥＳ）、非確率変動中であることを示す「０」が確率変動フラグに記憶されて「ＯＦＦ」とされ（Ｓ１２６）、特別図柄処理へ戻る。また、時短中フラグ及び確率変動フラグが共に「ＯＦＦ」となっている場合には（Ｓ１１９：ＮＯ、Ｓ１２４：ＮＯ）、そのまま特別図柄処理へ戻る。尚、特別図柄処理（図１０参照）では、遊技状態移行処理（Ｓ１０７）が終了すると、そのままメイン処理へ戻る。
【００９３】
以上説明したように、遊技球が特別図柄始動入賞口１５又は普通電動役物１３へ入賞すると（Ｓ２１：ＹＥＳ、又はＳ２５：ＹＥＳ）、各種乱数が取得され（Ｓ２３、Ｓ２７）、取得された乱数に基づいて大当たり判定が行われる（Ｓ４８、Ｓ４９、Ｓ６４、Ｓ６５）。そして、判定結果が大当たりであれば（Ｓ５０：ＹＥＳ、又はＳ６６：ＹＥＳ）、大当たり特別図柄が決定され（Ｓ５２、Ｓ６８）、決定された特別図柄とその時点での遊技状態とに応じて、大当たり遊技終了後の遊技状態が決定される（図１２参照）。ここで、確率変動大当たりの連続回数がリミットである３０回に達していれば（Ｓ８８：ＹＥＳ）、確率変動図柄で大当たりとなっている場合でも、大当たり遊技終了後には必ず非確率変動状態が生起されることとなる。そして、非確率変動中に大当たりとなった場合には（Ｓ８４：ＮＯ）、大当たり遊技終了後には必ず時短状態が生起されるため（Ｓ８３）、遊技者は時短状態が生起されるまでの目安を知ることができ、遊技を楽しむことができる。
【００９４】
また、大当たり遊技終了後に確率変動時短状態が生起されると、大当たり判定が３０回実行される間（時短状態中）に大当たりと判定されれば、再び時短状態が生起されることとなる。従って、３０回の大当たり判定が行われる間は、遊技者は早く大当たりとなることを期待しながら遊技を行うことができる。一方で、３０回の大当たり判定が全てはずれとなった場合には、さらにあと１０回連続してはずれと判定された後に大当たりとなれば、再び時短状態が生起される。従って、３１回目から４０回目までの大当たり判定では、遊技者はずれとなることを期待しながら遊技を楽しむことができる。これにより、過去にない全く新しい遊技性を遊技者に提供することができる。さらに、大当たり遊技終了後３０回の大当たり判定が行われるまでは、早く大当たり遊技が実行されることを期待させる演出を表示画面２８、スピーカ４８、及び照明装置３５（図１及び図２参照）を用いて行い、逆に、３１回目から４０回目までの大当たり判定中は、はずれとなることを期待させる演出を行う。これにより、遊技者の興趣をより強く惹き付けることができる。
【００９５】
次に、メイン処理の特別電動役物処理（Ｓ１３）の詳細について、図１４を参照して説明する。本実施の形態では、特別図柄始動入賞口１５（図２参照）へ遊技球が入賞し、第一大当たり判定によって大当たりと判定された場合には、第一大入賞口１８が開放される第一大当たり遊技が行われる。また、普通電動役物１３（図２参照）へ遊技球が入賞し、第二大当たり判定によって大当たりと判定された場合には、第二大入賞口１９が開放される第二大当たり遊技が行われる。
【００９６】
まず、特別電動役物処理で使用されるフラグについて説明する。ここで使用される主なフラグとして、大入賞口開放中フラグ、大入賞口処理待機中フラグ、第一大当たり遊技フラグ、１回目開閉終了フラグがあり、ＲＡＭ５２のフラグ関係記憶エリア５２１０に記憶されている。大入賞口開放中フラグは、第一大入賞口１８及び第二大入賞口１９の一方が開放されているか否かを示すフラグであり、いずれか一方の大入賞口が開放されている場合に「１」が記憶されて「ＯＮ」となり、共に閉鎖されている場合には「０」が記憶されて「ＯＦＦ」となる。また、大入賞口処理待機中フラグは、第一大入賞口１８若しくは第二大入賞口１９が閉鎖されてから、大入賞口１８，１９に関する次の処理が行われるまでの待機時間中であるか否かを示すフラグであり、待機時間中には「１」が記憶されて「ＯＮ」となり、待機時間中でなければ「０」が記憶されて「ＯＦＦ」となる。また、先述したように、第一大当たり遊技フラグは第一大当たり遊技中に「ＯＮ」、そうでない場合に「ＯＦＦ」となる。また、１回目開閉終了フラグは、１回の大当たり遊技中に２回行われる大入賞口１８，１９の開閉動作のうち、１回目の開閉動作が終了したか否かを示すフラグであり、１回目の開閉動作が終了した場合に「１」が記憶されて「ＯＮ」となり、終了していない場合に「０」が記憶されて「ＯＦＦ」となる。尚、初期値はいずれも「０」である。
【００９７】
図１４に示すように、メイン処理の特別電動役物処理が開始されると、大当たり遊技状態フラグにより、大当たり遊技状態であるか否かの判断が行われる（Ｓ１４１）。大当たり遊技状態でない場合には、２つの大入賞口１８，１９の開放・閉鎖は行われない。そこで、大当たり遊技状態フラグが「ＯＦＦ」であり、大当たり遊技状態でない場合には（Ｓ１４１：ＮＯ）、そのままメイン処理へ戻る。
【００９８】
一方で、大当たり遊技状態フラグが「ＯＮ」であり、大当たり遊技状態であると判断された場合には（Ｓ１４１：ＹＥＳ）、２つの大入賞口１８，１９に関する処理が行われる。まず、大入賞口処理待機中フラグにより、大入賞口１８，１９に関する次の処理が行われるまでの待機時間中であるか否かの判断が行われる（Ｓ１４２）。大入賞口処理待機中フラグが「ＯＦＦ」であり、待機時間中でない場合には（Ｓ１４２：ＮＯ）、大入賞口開放中フラグにより２つの大入賞口１８，１９の一方が開放されているか否かの判断が行われる（Ｓ１４３）。大入賞口開放中フラグが「ＯＦＦ」であり、大入賞口１８，１９が共に閉鎖中である場合には（Ｓ１４３：ＮＯ）、２つの大入賞口１８，１９のいずれかを開放させる処理が行われる。
【００９９】
そこで、第一大当たり遊技フラグにより、実行されている大当たり遊技が第一大当たり遊技及び第二大当たり遊技のいずれであるかの判断が行われる（Ｓ１４４）。第一大当たり遊技フラグが「ＯＮ」であり、第一大当たり遊技中であると判断された場合には（Ｓ１４４：ＹＥＳ）、第一大入賞口１８を開放させるための第一大入賞口開放コマンドがコマンド関係記憶エリア５２０９に記憶される（Ｓ１４５）。このコマンドは、次に行われるメイン処理のコマンド出力処理（Ｓ１０、図８参照）において中継基板４７に出力される。そして、第一大入賞口１８の最大開放時間（０．２秒）が第一開放時間カウンタに記憶され（Ｓ１４６）、大入賞口１８，１９の一方が開放されていることを示す「１」が大入賞口開放中フラグに記憶されて「ＯＮ」とされる（Ｓ１４９）。
【０１００】
次いで、開放している大入賞口１８，１９へ入賞した遊技球数が「９」以上であるか否かの判断が行われる。先述したように、メイン処理のスイッチ読込処理（Ｓ１１、図８参照）では、１回の開放中に大入賞口１８，１９へ入賞した遊技球の個数が入賞球数カウンタにより計数されている。この入賞球数カウンタの値が「９」以上でなければ（Ｓ１５０：ＮＯ）、Ｓ１４６の処理でセットされた第一開放時間カウンタにより、０．２秒の最大開放時間が経過したか否かの判断が行われる（Ｓ１５１）。第一開放時間カウンタの値が「０」でなく、最大開放時間が経過していないと判断された場合には（Ｓ１５１：ＮＯ）、そのままメイン処理へ戻る。
【０１０１】
そして、その後に行われるメイン処理の特別電動役物処理で、大当たり遊技状態であり（Ｓ１４１：ＹＥＳ）、大入賞口１８，１９に関する次の処理が行われるまでの待機時間中でなく（Ｓ１４２：ＮＯ）、２つの大入賞口１８，１９の一方が開放中である場合には（Ｓ１４３：ＹＥＳ）、大入賞口１８，１９へ９個以上の遊技球が入賞するか、若しくは第一大入賞口１８の最大開放時間が経過するまで、繰り返しこれらの判断が行われる（Ｓ１５０：ＮＯ、Ｓ１５１：ＮＯ）。そして、９個以上の遊技球が入賞するか（Ｓ１５０：ＹＥＳ）、若しくは０．２秒の最大開放時間が経過した場合には（Ｓ１５１：ＹＥＳ）、開放している第一大入賞口１８若しくは第二大入賞口１９を閉鎖させるための大入賞口閉鎖コマンドがコマンド関係記憶エリア５２０９に記憶される（Ｓ１５２）。このコマンドは、次に行われるコマンド出力処理（Ｓ１０、図８参照）において中継基板４７に送信される。
【０１０２】
次いで、大入賞口１８，１９に関する次の処理が行われるまでの待機時間が大入賞口処理待機時間カウンタに記憶され（Ｓ１５３）、大入賞口開放中フラグに「０」が記憶されて「ＯＦＦ」とされる（Ｓ１５４）。そして、大入賞口１８，１９に関する次の処理が行われるまでの待機時間中であることを示す「１」が大入賞口処理待機中フラグに記憶されて「ＯＮ」とされ（Ｓ１５５）、メイン処理へ戻る。
【０１０３】
また、大入賞口処理待機中フラグが「ＯＮ」である場合には（Ｓ１４２：ＹＥＳ）、大入賞口処理待機時間カウンタの値により、待機時間が経過したか否かの判断が行われる（Ｓ１５８）。大入賞口処理待機時間カウンタの値が「０」でなく、待機時間の計測中であると判断された場合には（Ｓ１５８：ＮＯ）、そのままメイン処理へ戻る。そして、繰り返しメイン処理が行われる中で時間が経過し、大入賞口処理待機時間カウンタの値が「０」となって、待機時間が経過したと判断された場合には（Ｓ１５８：ＹＥＳ）、待機時間中でないことを示す「０」が大入賞口処理待機中フラグに記憶されて「ＯＦＦ」とされる（Ｓ１５９）。そして、入賞球数カウンタの値が初期化されて「０」とされる（Ｓ１６０）。
【０１０４】
次いで、大入賞口１８，１９の１回目の開閉動作が終了していることを示す１回目開閉終了フラグが「ＯＮ」となっているか否かの判断が行われる（Ｓ１６１）。１回目開閉終了フラグが「ＯＦＦ」となっている場合には（Ｓ１６１：ＮＯ）、このフラグが「ＯＮ」に切り替えられて（Ｓ１６２）、メイン処理へ戻る。
【０１０５】
そして、次に行われる特別電動役物処理では、大当たり遊技状態であり（Ｓ１４１：ＹＥＳ）、大入賞口１８，１９に関する次の処理が行われるまでの待機時間中でなく（Ｓ１４２：ＮＯ）、２つの大入賞口１８，１９は共に閉鎖中であるため（Ｓ１４３：ＮＯ）、再び第一大入賞口１８が開放され（Ｓ１４５）、０．２秒の最大開放時間が第一開放時間カウンタに記憶される（Ｓ１４６）。そして、大入賞口開放中フラグが「ＯＮ」とされて（Ｓ１４９）、繰り返しメイン処理が行われる中で９個以上の遊技球が入賞するか（Ｓ１５０：ＹＥＳ）、若しくは最大開放時間が経過すると（Ｓ１５１：ＹＥＳ）、１回目の開閉処理と同様に第一大入賞口１８を閉鎖させる処理が行われる（Ｓ１５２〜Ｓ１５５）。
【０１０６】
そして、その後に繰り返し行われる特別電動役物処理では、Ｓ１５３でセットされた待機時間が経過すると（Ｓ１４１：ＹＥＳ、Ｓ１４２：ＹＥＳ、Ｓ１５８：ＹＥＳ）、大入賞口処理待機中フラグが「ＯＦＦ」とされて（Ｓ１５９）、入賞球数カウンタの値が初期化される（Ｓ１６０）。次いで、１回目開閉終了フラグが「ＯＮ」となっているため（Ｓ１６１：ＹＥＳ）、１回目開閉終了フラグが「ＯＦＦ」とされる（Ｓ１６４）。そして、２回行われる大入賞口１８，１９の開閉処理が共に終了しているので、大当たり遊技状態フラグが「ＯＦＦ」とされ（Ｓ１６５）、第一大当たり遊技フラグが「ＯＮ」となっている場合には「ＯＦＦ」に切り替える処理が行われる（Ｓ１６６）。
【０１０７】
次いで、遊技状態に関するフラグの処理が行われる。先述した特別図柄処理におけるＳ８３の処理（図１２参照）において、大当たり遊技終了後に時短状態を生起させるか否かを示す時短当選フラグが「ＯＮ」とされている場合には（Ｓ１６７：ＹＥＳ）、時短中フラグが「ＯＮ」とされ（Ｓ１６８）、時短当選フラグが「ＯＦＦ」とされる（Ｓ１６９）。また、時短当選フラグが「ＯＦＦ」となっている場合には（Ｓ１６７：ＮＯ）、そのままＳ１７０の判断へ移行する。次いで、特別図柄処理におけるＳ８９の処理（図１２参照）において、大当たり遊技終了後に確率変動状態を生起させるか否かを示す確率変動当選フラグが「ＯＮ」とされている場合には（Ｓ１７０：ＹＥＳ）、確率変動フラグが「ＯＮ」とされ（Ｓ１７１）、確率変動当選フラグが「ＯＦＦ」とされて（Ｓ１７２）、メイン処理へ戻る。また、確率変動当選フラグが「ＯＦＦ」となっている場合には（Ｓ１７０：ＮＯ）、そのままメイン処理へ戻る。
【０１０８】
また、Ｓ１４４の判断において、第一大当たり遊技フラグが「ＯＦＦ」となっている場合には（Ｓ１４４：ＮＯ）、実行されている大当たり遊技は第二大当たり遊技である。この場合には、第二大入賞口１９を開放させるための第二大入賞口開放コマンドがコマンド関係記憶エリア５２０９に記憶され（Ｓ１４７）、第二大入賞口１９の最大開放時間（３０秒）が第二開放時間カウンタに記憶される（Ｓ１４８）。そして、この第二開放時間カウンタの値が「０」となれば（Ｓ１５１：ＹＥＳ）、第二大入賞口１９を閉鎖させる処理が行われる（Ｓ１５２〜Ｓ１５５）。この第二大入賞口１９の最大開放時間は、第一大入賞口１８の最大開放時間（０．２秒）よりも長い時間に設定されているため、遊技者は第一大当たり遊技中よりも第二大当たり遊技中の方が多数の遊技球を獲得することができる。
【０１０９】
次に、本実施の形態のパチンコ機１の遊技の流れについて、図１５を参照して説明する。図１５は、パチンコ機１の４つの遊技状態の移行を示した図である。パチンコ機１では、生起されている割合が最も高い遊技状態は確率変動非時短状態であり、これを「通常モード」とする。また、非確率変動非時短状態では、実行される大当たり遊技は払い出しの少ない第一大当たり遊技であるが、大当たり遊技終了後には必ず時短状態が生起される。そこで、非確率変動非時短状態を「連続大当たり準備モード」とする。そして、非確率変動時短状態中及び確率変動時短状態中には普通電動役物１３が頻繁に開放され、第二大当たりと判定されると、払い出しの多い第二大当たり遊技が実行されることとなる。さらに、大当たり遊技終了後には必ず時短状態が生起される。そこで、非確率変動時短状態及び確率変動時短状態を「連続大当たりモード」とする。
【０１１０】
まず、「通常モード」からの遊技状態の流れについて説明する。この「通常モード」中に９／１５１の割合で大当たりと判定されると、特別図柄が決定される（Ｓ４８又はＳ６４、図１１参照）。ここで、確率変動図柄が決定される割合は９４％、非確率変動図柄が決定される割合は６％となっている。そして、確率変動図柄が決定された場合は、確率変動大当たりの連続回数が３０回に達しているか、すなわち、３０回のリミッタに到達しているかが判断され（Ｓ８８、図１２参照）、リミッタに到達していなければ、大当たり遊技終了後の遊技状態は再び通常モードへ戻る。一方で、リミッタに到達していれば、「通常モード」よりも遊技者にとって有利な「連続大当たり準備モード」（非確率変動非時短状態）へ移行する。また、大当たり判定の際に決定された特別図柄が非確率変動図柄であった場合にも、遊技状態は非確率変動状態へ移行する。従って、遊技者は、大当たりと判定される毎に６％の割合で決定される非確率変動大当たりを期待しながら遊技を行うことができ、さらに、確率変動大当たりが連続して決定された場合でも、３０回のリミッタに到達することを期待しながら遊技を行うことができる。これにより、遊技者の興趣を惹き付けることができる。
【０１１１】
尚、「通常モード」中は時短状態が生起されていないため、普通電動役物１３へ遊技球を入賞させることは困難であり、実行される大当たり遊技はほぼ第一大当たり遊技となる。そして、先述したように、この第一大当たり遊技中に払い出される遊技球の数は、第二大当たり遊技中よりも大幅に少ない。すなわち、第一大当たり遊技は、遊技者に遊技球を払い出す目的というよりも、遊技状態を移行させるための目的で設けられているということができる。
【０１１２】
次いで、「連続大当たり準備モード」からの遊技状態の流れについて説明する。「連続大当たり準備モード」中は、「通常モード」中と同様に時短状態が生起されていないため、遊技者に払い出される遊技球数は「連続大当たりモード」中よりも少ない。しかし、図１５に示すように、「連続大当たり準備モード」中に大当たりとなった場合には、大当たりが確率変動大当たりであるか非確率変動大当たりであるかに関わらず、大当たり遊技終了後には必ず「連続大当たりモード」へ移行する。よって、「通常モード」の遊技を行っている遊技者に、「連続大当たりモード」へ移行することを期待させながら遊技を行わせることができる。
【０１１３】
次いで、「連続大当たりモード」からの遊技状態の流れについて説明する。「連続大当たりモード」には、「通常モード」へ移行する可能性がある「連続大当たりモードＡ」（確率変動時短状態）と、「通常モード」へ移行する可能性がない「連続大当たりモードＢ」（非確率変動時短状態）とが設けられている。
【０１１４】
「連続大当たりモードＡ」へは、「通常モード」以外の遊技状態中に確率変動図柄で大当たりとなった場合に移行する。確率変動図柄が決定される割合は遊技状態に関わらず９４％である。そして、「連続大当たりモードＡ」においては、３０回の大当たり判定が行われる間に大当たりとなれば、再び「連続大当たりモード」が生起される。すなわち、時短状態と大当たり遊技とが交互に連続して行われ、遊技者に多数の遊技球が払い出される。一方で、３０回の大当たり判定において全てはずれと判定された場合には、時短状態が終了して遊技状態が「通常モード」（確率変動非時短状態）へ移行する。従って、「連続大当たりモードＡ」が生起されている場合、遊技者は早く大当たりとなることを期待しながら遊技を楽しむことができる。
【０１１５】
「連続大当たりモードＢ」へは、「通常モード」以外の遊技状態中に非確率変動図柄で大当たりとなった場合に移行する。この「連続大当たりモードＢ」においては、３０回の大当たり判定が行われる間に大当たりとなれば、再び「連続大当たりモード」が生起される。さらに、「連続大当たりモードＡ」とは異なり、３０回連続してはずれと判定された場合でも、遊技状態は「通常モード」でなく「連続大当たり準備モード」（非確率変動非時短状態）へ移行する。従って、「連続大当たりモードＢ」は４つの遊技状態の中で遊技者に最も有利な遊技状態であり、遊技者は「連続大当たりモードＢ」へ遊技状態が移行することを期待しながら遊技を行うことができる。
【０１１６】
以上説明したように、本実施の形態のパチンコ機１では、第一大当たり遊技中に遊技者が獲得可能な遊技球の数は第二大当たり遊技中よりも少ないが、大当たり遊技終了後の時短状態が生起されれば普通電動役物１３への遊技球の入賞が容易となる。そして、時短状態中に大当たりとなると、多数の遊技球が払い出される遊技である第二大当たり遊技が実行される。これにより、多数の遊技球を獲得する機会が遊技者に付与される。さらに、非確率変動状態及び時短状態のいずれかが生起されている際に大当たりとなれば、必ず時短状態（連続大当たりモード）が生起される。従って、遊技者は時短状態が生起されることを期待しながら遊技を楽しむことができる。
【０１１７】
また、確率変動大当たりが３０回連続するとその後必ず非確率変動状態が生起され、非確率変動中に大当たりとなると、その後必ず時短状態が生起される。すなわち、リミッタを利用して遊技機に所謂天井機能を付加することができる。従って、遊技者に不利な「通常モード」が連続している場合でも、遊技者の興趣を損ねることのない、新しい遊技性を遊技者に提供することができる。さらに、「連続大当たりモード」中に大当たりと判定された場合にも、３０回のリミッタを計数するカウンタは大当たり判定回数のカウントを行う。よって、「連続大当たりモード」が終了した後すぐにリミッタに到達し、再び「連続大当たりモード」へ移行する場合がある。これにより、遊技者の興趣を惹き付けることができる。
【０１１８】
尚、本実施の形態における特別図柄始動入賞口１５が本発明の「始動口」に相当し、始動口スイッチ７２が「始動口遊技球検出手段」に相当する。また、図９に示すＳ２４で第一大当たり乱数を取得する主基板４１のＣＰＵ５１が「第一大当たり乱数取得手段」として機能し、図１１に示すＳ４８及びＳ４９で第一大当たり判定を行う主基板４１のＣＰＵ５１が「第一大当たり判定手段」として機能する。また、普通図柄始動ゲート１２が「通過口」に相当し、普通図柄作動スイッチ７４が「通過口遊技球検出手段」に相当する。また、図８に示すＳ１６で普通当たり乱数を取得する主基板４１のＣＰＵ５１が「普通当たり乱数取得手段」として機能し、電動役物スイッチ７３が「電動役物遊技球検出手段」に相当する。
【０１１９】
また、図９に示すＳ２８で第二大当たり乱数を取得する主基板４１のＣＰＵ５１が「第二大当たり乱数取得手段」として機能し、図１１に示すＳ６４及びＳ６５で第二大当たり判定を行う主基板４１のＣＰＵ５１が「第二大当たり判定手段」として機能する。また、電動役物開放ソレノイド６９が「普通電動役物開閉手段」に相当し、図８に示すＳ１５で電動役物開放ソレノイド６９の動作を制御する主基板４１のＣＰＵ５１が「普通電動役物開閉制御手段」として機能する。また、第一大入賞口開放ソレノイド７０及び第二大入賞口開放ソレノイド７１が「大入賞口開閉手段」に相当し、図１４に示すＳ１４５、Ｓ１４６，Ｓ１５２において大入賞口開放ソレノイド７０，７１の動作を制御する主基板４１のＣＰＵ５１が「大入賞口開閉制御手段」として機能する。また、図１３に示すＳ１１６，Ｓ１２１，Ｓ１２６、及び図１４に示すＳ１６８、Ｓ１７１において、確率変動フラグ及び時短中フラグの「ＯＮ」「ＯＦＦ」の制御を行う主基板４１のＣＰＵ５１が「遊技状態制御手段」として機能する。
【０１２０】
また、図１２に示すＳ８２、Ｓ８３，Ｓ８４で時短状態を生起するか否かを決定する主基板４１のＣＰＵ５１が「時短生起決定手段」として機能し、図１２に示すＳ８６〜Ｓ８９で確率変動状態を生起するか否かを決定する主基板４１のＣＰＵ５１が「確率変動生起決定手段」として機能する。また、図１２に示すＳ８７において、確率変動状態を生起することが連続して決定された回数を計数する主基板４１のＣＰＵ５１が「確率変動連続回数計数手段」として機能する。また、図１２に示すＳ８８及びＳ９０において、確率変動の連続決定回数が所定回数に達した場合に必ず非確率変動状態を生起させる主基板４１のＣＰＵ５１が「確率変動連続回数制御手段」として機能する。また、確率変動フラグが「ＯＮ」となっており、且つ時短中フラグが「ＯＦＦ」となっている確率変動非時短状態（通常モード）が「第一状態」に相当する。また、表示画面２８、照明装置３５、及びスピーカ４８が「報知手段」に相当し、これらの制御を行うＣＰＵ５１，５８１，４３ａ、４６ａが「報知制御手段」に相当する。
【０１２１】
尚、本発明は、以上詳述した実施の形態に限定されるものではなく、本発明の要旨を逸脱しない範囲内において種々の変更が可能であることは勿論である。例えば、１回の大当たり遊技中に大入賞口１８，１９が開閉動作を行う回数（以下、「ラウンド数」という。）や、大入賞口１８，１９の開放時間は変更することが可能である。よって、大当たり遊技の種類に、１５ラウンド等の異なるラウンド数の大当たり遊技を追加することもできる。また、本実施の形態では、第一大当たり遊技中の第一大入賞口１８の最大開放時間を０．２秒とし、第二大当たり遊技中の第二大入賞口１９の最大開放時間を３０秒として、払い出される遊技球の数に大当たり遊技間で差をつけている。しかし、１回の大当たり遊技中に複数回開放される大入賞口１８，１９の最大開放時間の和が異なれば本発明を実現できるため、最大開放時間に差を設けるのではなく、ラウンド数に差を設けることで払い出される遊技球数を変えてもよい。
【０１２２】
また、確率変動大当たりの連続を終了させる基準となる３０回のリミッタ回数、時短遊技状態を終了させる基準となる３０回の大当たり判定回数（時短回数）、確率変動状態を終了させる基準となる４０回の大当たり判定回数（確率変動回数）等は適宜変更が可能である。また、複数種類の時短回数を設けることもできるし、確率変動回数を複数種類設けてもよい。例えば、複数の大当たり特別図柄をあらかじめ複数種類に区分けしておき、大当たり判定時に決定された大当たり特別図柄の種類に応じて時短回数や確率変動回数が異なるように設定することもできる。さらに、リミッタ回数を複数種類設けることもできる。
【０１２３】
また、本実施の形態では、「通常モード」（確率変動非時短状態）中に大当たりと判定された場合には、大当たり遊技終了後に時短状態が生起されることはないが、「通常モード」から直接「連続大当たりモード」（確率変動時短状態、又は非確率変動時短状態）へ移行する場合を新たに設けることもできる。同様に、本実施の形態では「連続大当たり準備モード」（非確率変動時短状態）中、又は「連続大当たりモード」中に大当たりと判定された場合には「通常モード」へ移行することはないが、これを変更することも可能である。すなわち、「通常モード」から「連続大当たりモード」へ移行する割合よりも、「連続大当たり準備モード」又は「連続大当たりモード」から「連続大当たりモード」へ移行する割合が高ければよい。
【０１２４】
また、大当たりと判定される確率や、大当たりと判定された際に確率変動大当たりとなる確率、普通当たりと判定される確率は、遊技機の仕様に応じて様々な変更が可能である。例えば、本実施の形態では非時短状態中に普通当たりと判定される確率が１／１００であり、非時短状態中に第二大当たり遊技が実行されることは稀であるが、この確率を上げることで、非時短状態中に第二大当たり遊技が実行される確率を上げることができる。また、本実施の形態では第一大当たり遊技中は第一大入賞口１８を開放させ、第二大当たり遊技中は第二大入賞口１９を開放させている。しかし、大入賞口の数は１つでもよいし、２つ以上でもよい。そして、大当たり遊技の種類に関わらず１つの大入賞口を開閉させる構成としてもよいし、大当たり遊技の種類に関わらず、１回の大当たり遊技中に複数の大入賞口を開閉させるように設定してもよい。
【０１２５】
また、本実施の形態では、遊技者は、確率変動大当たりが連続した回数を計数すればリミッタに到達するまでの大当たり回数を正確に知ることができるが、これを変更することもできる。例えば、第一大当たり乱数の中に、あらかじめ第一大当たりと決められた乱数とは異なる小当たり乱数を設け、第一大当たり関係情報記憶エリア５２０５（図６参照）の判定エリアに記憶されている乱数がこの小当たり乱数である場合に、第一大当たり遊技中と同様の動作を第一大入賞口１８に実行させる遊技（小当たり遊技）を行う構成とする。そして、小当たり遊技の前後での遊技状態の移行を行わずに、表示画面２８やスピーカ４８等による小当たり遊技中の演出も第一大当たり遊技中と同じにすれば、第一大当たり遊技と小当たり遊技との判別を行うことが困難となる。これにより、遊技者はリミッタに到達するまでの大当たり回数を正確に判別することができなくなり、リミッタに到達するまでの目安が大まかなものとなるため、パチンコ機１とは異なる遊技性を遊技者に提供することができる。
【産業上の利用可能性】
【０１２６】
本発明の遊技機はパチンコ機に限られず、パチコン機等の各種の遊技機に適用可能である。
【図面の簡単な説明】
【０１２７】
【図１】パチンコ機１の正面図である。
【図２】遊技盤２の正面図である。
【図３】図柄表示装置８の拡大図である。
【図４】パチンコ機１の電気的構成を示すブロック図である。
【図５】主基板４１のＲＡＭ５２の記憶エリアを示す概念図である。
【図６】ＲＡＭ５２の大当たり関係情報記憶エリア５２０５を示す概念図である。
【図７】主基板４１のＲＯＭ５３の記憶エリアを示す概念図である。
【図８】主基板４１におけるメイン処理のフローチャートである。
【図９】メイン処理の中で行われる特別図柄処理のサブルーチンのフローチャートである。
【図１０】メイン処理の中で行われる特別図柄処理のサブルーチンのフローチャートである。
【図１１】メイン処理の中で行われる特別図柄処理のサブルーチンのフローチャートである。
【図１２】図１１に示す特別図柄処理の中で行われる大当たり種別判定処理のサブルーチンのフローチャートである。
【図１３】図１０に示す特別図柄処理の中で行われる遊技状態移行処理のサブルーチンのフローチャートである。
【図１４】メイン処理の中で行われる特別電動役物処理のサブルーチンのフローチャートである。
【図１５】パチンコ機１の４つの遊技状態の移行を示した図である。
【符号の説明】
【０１２８】
１    パチンコ機
２    遊技盤
１２    普通図柄始動ゲート
１３    普通電動役物
１５    特別図柄始動入賞口
１８    第一大入賞口
１９    第二大入賞口
２８    表示画面
３５    照明装置
４１    主基板
４３    演出制御基板
４３ａ    ＣＰＵ
４６    電飾基板
４６ａ    ＣＰＵ
４８    スピーカ
５１    ＣＰＵ
５２    ＲＡＭ
５３    ＲＯＭ
５８    サブ統合基板
６９    電動役物開放ソレノイド
７０    第一大入賞口開放ソレノイド
７１    第二大入賞口開放ソレノイド
７２    始動口スイッチ
７３    電動役物スイッチ
７４    普通図柄作動スイッチ
【図１】
0004911776.tif 000002
【図２】
0004911776.tif 000003
【図３】
0004911776.tif 000004
【図４】
0004911776.tif 000005
【図５】
0004911776.tif 000006
【図６】
0004911776.tif 000007
【図７】
0004911776.tif 000008
【図８】
0004911776.tif 000009
【図９】
0004911776.tif 000010
【図１０】
0004911776.tif 000011
【図１１】
0004911776.tif 000012
【図１２】
0004911776.tif 000013
【図１３】
0004911776.tif 000014
【図１４】
0004911776.tif 000015
【図１５】
0004911776.tif 000016